【事件の表示】
　特許第２５７９６７９号「使い捨ての吸収性衣料」の特許に対する特許異議の申立てについて、次のとおり決定する。
【結　論】
　訂正を認める。
　特許第２５７９６７９号の請求項１ないし７５に係る特許を維持する。
【理　由】
 １．手続の経緯
　本件特許第２５７９６７９号に係る特許は、その出願が昭和６３年１２月１６日（優先権主張日：１９８７年１２月１６日、主張国：米国）であって、平成８年１１月７日に特許権の設定の登録があり、平成９年２月５日に特許公報を発行したところ、平成９年８月５日に特許異議申立人　永富美知生から特許異議の申立てがあり、平成９年１２月１２日付けで取消理由を通知したところ、平成１０年７月９日付けで訂正請求がなされた。
　
２．訂正について
２−１．訂正の内容
訂正事項（ａ）
　特許請求の範囲の請求項１の第３行の「相体する」の記載を『相対する』と訂正するとともに、同第５行の冒頭の「全体として」の記載の前に、『前記吸収性アセンブリとともに』を挿入し、同第６行の「吸収性アセンブリ」の記載の後に『の前記サイド縁部の各々』の記載を挿入する。
訂正事項（ｂ）
　特許請求の範囲の請求項３９の第３行の「相体する」の記載を『相対する』と訂正するとともに、同第５行の冒頭の「全体として」の記載の前に、『前記吸収性アセンブリとともに』を挿入を挿入し、同第６行の「吸収性アセンブリ」の記載の後に『の前記サイド縁部の各々』を挿入する。
訂正事項（ｃ）
　特許請求の範囲の請求項４８の第４行の冒頭の「ウエスト開口部」の記載の前に、『前記吸収性アセンブリとともに』を挿入するとともに、同第５行の「一対の」の記載の後に、『エラストマ材を少なくとも一層含む』を挿入する。
訂正事項（ｄ）
　特許請求の範囲の請求項６６の第４行の冒頭の「ウエスト開□部」の記載の前に、『前記吸収性アセンブリとともに』を挿入するとともに、同第５行の「一対の」の記載の後に、『エラストマ材を少なくとも一層含む』を挿入する。
訂正事項（ｅ）
　従属請求項の引用請求項を次のように訂正する。
請求項の番号　　　訂正前の引用請求項　　　訂正後の引用請求項
　　　３　　　　　　　　　２　　　　　　　　　　　１
　　　４　　　　　　　　　３　　　　　　　　　　　１
　　　６　　　　　　　　　５　　　　　　　　　　　１
　　　７　　　　　　　　　６　　　　　　　　　　　１
　　１８　　　　　　　　１７　　　　　　　　　　　１
　　２０　　　　　　　　１９　　　　　　　　　　１７
　　２１　　　　　　　　２０　　　　　　　　　　１７
　　２３　　　　　　　　２２　　　　　　　　　　１７
　　２４　　　　　　　　２３　　　　　　　　　　１７
　　２６　　　　　　　　２５　　　　　　　　　　　１
　　２８　　　　　　　　２７　　　　　　　　　　　１
　　２９　　　　　　　　２８　　　　　　　　　　　１
　　３１　　　　　　　　３０　　　　　　　　　　　１
　　３２　　　　　　　　３１　　　　　　　　　　　１
　　３５　　　　　　　　３４　　　　　　　　　　３３
　　４２　　　　　　　　４１　　　　　　　　　　４０
　　４３　　　　　　　　４２　　　　　　　　　　４０
　　４５　　　　　　　　４４　　　　　　　　　　４０
　　４６　　　　　　　　４５　　　　　　　　　　４０
　　７３　　　　　　　　７２　　　　　　　　　　６６
　　７４　　　　　　　　７２　　　　　　　　　　６６
２−２．訂正要件の可否の検討（除独立特許要件）
　訂正事項（ａ）乃至訂正事項（ｄ）は、いずれも誤記の訂正及び特許請求の範囲の減縮を目的とするものである。
　訂正事項（ｅ）は、異議申立人も当該箇所の引用請求項は誤記である旨主張しているように、誤記の訂正を目的とするものである。
　そして、これらの訂正はいずれも願書に添付した明細書及び図面の記載事項の範囲内の訂正である。
　
２−３．独立特許要件
２−３−１．訂正後の請求項に係る発明
　訂正明細書又は図面の記載からみて、訂正後の請求項に係る発明は、その特許請求の範囲の請求項１乃至請求項７５に記載された下記の事項によりそれぞれ特定されるものである。
請求項１
　人体分泌物を吸収するための使い捨てパンツ衣料であって、
　液体不浸透性の外側カバーと液体浸透性のライナー及びそれらの間に配置された吸収性媒体を備え、ほぼ相対するサイド縁部とほぼ相対するエンド縁部を有する吸収性アセンブリと、
　前記吸収性アセンブリとともに全体として一つのウエスト開□部と一対の脚部開口部とを有するパンツ型を形成するように、前記吸収性アセンブリの前記サイド縁部の各々に結合された一対の伸縮性サイド部材と、
からなり、
　前記伸縮性サイド部材の各々は、少なくとも一層のエラストマ材を含み、これによって、ほぼ内方に向けられた力を直接に着用者に与え、前記衣料を着用者の体に対しぴったりと保持させ、排泄に際して前記吸収性アセンブリを股部に対し所定の位置でフィットさせるようになっており、
　前記脚部開口部のそれぞれの少なくとも一部分をギャザリングするように、前記記脚部開口部の前記部分に沿ってギャザリング手段が配置され、前記脚部開口部のまわりに弾性を与えることにより、排泄物の漏れを防ぐようになったことを特徴とする人体分泌物を吸収するための使い捨てパンツ衣料。
請求項２
　前記ギャザリング手段の弛緩取り付けの長さは、前記衣料の全長の１０％から１００％であることを特徴とする特許請求の範囲第１項に記載の使い捨てパンツ衣料。
請求項３
　前記ギャザリング手段の弛緩取り付けの長さは、前記衣料の全長の１０％から５０％であることを特徴とする特許請求の範囲第１項に記載の使い捨てパンツ衣料。
請求項４
　前記ギャザリング手段の弛緩取り付けの長さは、前記衣料の全長の１５％から２５％であることを特徴とする特許請求の範囲第１項に記載の使い捨てパンツ衣料。
請求項５
　前記ギャザリング手段は２５％から３５０％の弾性力を備えていることを特徴とする特許請求の範囲第１項に記載の使い捨てパンツ衣料。
請求項６
　前記ギャザリング手段は３０％から２６０％の弾性力を備えていることを特徴とする特許請求の範囲第１項に記載の使い捨てパンツ衣料。
請求項７
　前記ギャザリング手段は１２５％から２００％の弾性力を備えていることを特徴とする特許請求の範囲第１項に記載の使い捨てパンツ衣料。
請求項８
　前記ギャザリング手段のそれぞれは複数の細長い弾性部材であることを特徴とする特許請求の範囲第１頃に記載の使い捨てパンツ衣料。
請求項９
　前記ギャザリング手段の各々はそれぞれの前記脚部開口部に結合されるとき、予め伸長されていることを特徴とする特許請求の範囲第１項に記載の使い捨てパンツ衣料。
請求項１０
　前記ギャザリング手段のそれぞれは前記伸縮性サイド部材のうちの少なくとも一つからの一体的な延長部分であることを特徴とする特許請求の範囲第１項に記載の使い捨てパンツ衣料。
請求項１１
　前記不可欠な延長部分のそれぞれは前記吸収性アセンブリに結合されるとき、予め伸長されていることを特徴とする特許請求の範囲第１０項に記載の使い捨てパンツ衣料。
請求項１２
　一対の実質的に非伸縮性であるサイドセクションを備え、該サイドセクションのそれぞれは前記伸縮性サイド部材のそれぞれの中央部に結合されていることを特徴とする特許請求の範囲第１項に記載の使い捨てパンツ衣料。
請求項１３
　前記伸縮性サイド部材の少なくとも一つは前記吸収性アセンブリから手で剥離可能であることを特徴とする特許請求の範囲第１項に記載の使い捨てパンツ衣料。
請求項１４
　前記伸縮性サイド部材のそれぞれはストレッチボンディングされた積層材であることを特徴とする特許請求の範囲第１項に記載の使い捨てパンツ衣料。
請求項１５
　前記ストレッチボンディングされた積層材は少なくとも２つの層からなり、該層のうちの一つはエラストマ材からできていることを特徴とする特許請求の範囲第１４項に記載の使い捨てパンツ衣料。
請求項１６
　前記ストレッチボンディングされた積層材は三つの層からなり、その中央の層はエラストマ材からなることを特徴とする特許請求の範囲第１４項に記載の使い捨てパンツ衣料。
請求項１７
　前記ギャザリング手段のそれぞれの少なくとも一つの縁部は前記外側カバーとライナーとの間に結合されていることを特徴とする特許請求の範囲第１項に記載の使い捨てパンツ衣料。
請求項１８
　前記ギャザリング手段の縁部は前記吸収性媒体のそれぞれのサイドに直接的に接していることを特徴とする特許請求の範囲第１項に記載の使い捨てパンツ衣料。
請求項１９
　前記ギャザリング手段の縁部は前記吸収性媒体のそれぞれのサイドから０インチ（０ｍｍ）から２インチ（５０．８ｍｍ）の間隔をあげて配置されていることを特徴とする特許請求の範囲第１７項に記載の使い捨てパンツ衣料。
請求項２０
　前記ギャザリング手段の縁部は前記サイドから０インチ（０ｍｍ）から１インチ（２５.４ｍｍ）の間隔をあげて配置されていることを特徴とする特許請求の範囲第１７項に記載の使い捨てパンツ衣料。
請求項２１
　前記ギャザリング手段の縁部は前記サイドより０インチ（０ｍｍ）から１／２インチ（１２.７ｍｍ）の間隔をあけて配置されていることを特徴とする特許請求の範囲第１７項に記載の使い捨てパンツ衣料。
請求項２２
　前記ギャザリング手段の縁部のそれぞれは前記吸収性媒体の最大幅の０％から５０％の長さだけ前記吸収性媒体のそれぞれのサイド上に延びていることを特徴とする特許請求の範囲第１７項に記載の使い捨てパンツ衣料。
請求項２３
　前記ギャザリング手段の縁部のそれぞれは前記吸収性媒体の最大幅の３％から２０％の長さだけ前記吸収性媒体のそれぞれの前記サイド上に延びていることを特徴とする特許請求の範囲第１７項に記載の使い捨てパンツ衣料。
請求項２４
　前記ギャザリング手段の縁部のそれぞれは前記吸収性媒体の最大幅の６％から１２％の長さだけ前記吸収性媒体のそれぞれのサイド上に延びていることを特徴とする特許請求の範囲第１７項に記載の使い捨てパンツ衣料。
請求項２５
　前記サイド部材のそれぞれは１インチ（２５.４ｍｍ）あたり５０グラムから１０００グラムの引っ張り範囲を備えていることを特徴とする特許請求の範囲第１項に記載の使い捨てパンツ衣料。
請求項２６
　前記サイド部材のそれぞれは１インチ（２５.４ｍｍ）あたり２００グラムから５００グラムの引っ張り範囲を備えていることを特徴とする特許請求の範囲第１項に記載の使い捨てパンツ衣料。
請求項２７
　サイド部材のそれぞれは１０％から５００％の弾性力を備えていることを特徴とする特許請求の範囲第１頃に記載の使い捨てパンツ衣料。
請求項２８
　前記サイド部材のそれぞれは５０％から３００％の弾性力を備えていること
を特徴とする特許請求の範囲第１ 項に記載の使い捨てパンツ衣料。
請求項２９
　前記サイド部材のそれぞれは７５％から２００％の弾性力を備えていることを特徴とする特許請求の範囲第１項に記載の使い捨てパンツ衣料。
請求項３０
　前記サイド部材は前記衣料の全表面積の２０％から８０％を構成していることを特徴とする特許請求の範囲第１項に記載の使い捨てパンツ衣料。
請求項３１
　前記サイド部材は前記衣料の全表面積の２５％から５０％を構成していることを特徴とする特許請求の範囲第１項に記載の使い捨てパンツ衣料。
請求項３２
　前記サイド部材は前記衣料の全表面積の３５％から４５％を構成していることを特徴とする特許請求の範囲第１項に記載の使い捨てパンツ衣料。
請求項３３
　前記ギャザリング手段の各々の幅はそれぞれの前記サイド部材の１％から１００％であることを特徴とする特許請求の範囲第１項に記載の使い捨てパンツ衣料。
請求項３４
　前記ギャザリング手段の各々の幅はそれぞれの前記サイド部材の最大幅の２０％から８０％であることを特徴とする特許請求の範囲第３３項に記載の使い捨てパンツ衣料。
請求項３５
　前記ギャザリング手段の各々の幅はそれぞれの前記サイド部材の最大幅の３０％から５０％であることを特徴とする特許請求の範囲第３３項に記載の使い捨てパンツ衣料。
請求項３６
　前記外側カバーは少なくとも二層からなり、前記層のうち最も外側の層は布様の材質からなり、前記層のうち最も内側の層は液体不浸透性材料からなることを特徴とする特許請求の範囲第１項に記載の使い捨てパンツ衣料。
請求項３７
　前記吸収性アセンブリの少なくとも一つの端部においてウエスト弾性部を備えていることを特徴とする特許請求の範囲第１頃に記載の使い捨てパンツ衣料。
請求項３８
　前記ウエスト弾性部は複数の弾性材からなることを特徴とする特許請求の範囲第３７項に記載の使い捨てパンツ衣料。
請求項３９
　人体分泌物を吸収するための使い捨てパンツ衣料であって．
　液体不浸透性の外側カバーと液体浸透性のライナー及びそれらの間に配置された吸収性媒体を備え、ほぼ相対するサイド縁部とほぼ相対するエンド縁部を有する吸収性アセンブリと、
　前記吸収性アセンブリとともに全体として一つのウエスト開口部と一対の脚部開口部とを有するパンツ型を形成するように、前記吸収性アセンブリの前記サイド縁部の各々に結合された一対の伸縮性サイド部材と、
からなり、
　前記伸縮性サイド部材の各々は、少なくとも一層のエラストマ材を含み、これによって、ほぼ内方に向けられた力を直接に着用者に与え、排泄に際して前記衣料を着用者の体に対しぴったりと保持させるようになっており、
　前記伸縮性サイド部材は、前記脚部開口部の各々の一部分に沿って、ほぼ周方向に配置されており、
　前記脚部開口部の各々の残余部分に沿ってギャザリング手段が配置され、
　前記伸縮性サイド部材及び前記ギャザリング手段は、前記脚部開口部の周にほぼ沿って該脚部開口部に弾性力を与えて排泄物の漏れを防ぐようになったことを特徴とする人体分泌物を吸収するための使い捨てパンツ衣料。
請求項４０
　前記伸縮性サイド部材の少なくとも一つのエンドセグメント部分が前記ウエスト開口部に対して、ほぼ内側に角度配置されていることを特徴とする特許請求の範囲第３９項に記載の使い捨てパンツ衣料。
請求項４１
　前記エンドセグメントの長さは前記衣料の全長の３％から４０％であることを特徴とする特許請求の範囲第４０項に記載の使い捨てパンツ衣料。
請求項４２
　前記エンドセグメントの長さは前記衣料の全長の５％から２５％であることを特徴とする特許請求の範囲第４０項に記載の使い捨てパンツ衣料。
請求項４３
　前記エンドセグメントの長さは前記衣料の全長の１０％から１５％であることを特徴とする特許請求の範囲第４０項に記載の使い捨てパンツ衣料。
請求項４４
　前記エンドセグメントは前記ウエスト開口部に向けて内側に５０°から５５０°の角度がついていることを特徴とする特許請求の範囲第４０項に記載の使い捨てパンツ衣料。
請求項４５
　前記エンドセグメントは前記ウエスト開口部に向けて内側に１０° から４０°の角度がついていることを特徴とする特許請求の範囲第４０項に記載の使い捨てパンツ衣料。
請求項４６
　前記エンドセグメントは前記ウエスト開口部に向けて内側に１５°から３０°の角度がついていることを特徴とする特許請求の範囲第４０項に記載の使い捨てパンツ衣料。
請求項４７
　前記脚部開口部のそれぞれの前縁部は後縁部よりも前記ウエスト開口部に近いことを特徴とする特許請求の範囲第３９項に記載の使い捨てパンツ衣料。
請求項４８
　人体分泌物を吸収するための使い捨てパンツ衣料であって、
　液体不浸透性の外側カバーと液体浸透性のライナー及びそれらの間に配置さ
れた吸収性媒体からなる吸収性アセンブリと、
　前記吸収性アセンブリとともにウエスト開口部と一対の脚部開口部とを有するパンツ型を形成するように、前記吸収性アセンブリに結合された一対のエラストマ材を少なくとも一層含む伸縮性サイド部材と、
からなり、
　前記伸縮性サイド部材の各々の中間部分が前記脚部開口部のそれぞれの股部の周にほぼ沿って配置されて、着用者に対しほぼ内側に向けられた力を与え、前記衣料を着用者の体に対しぴったりと保持し、排泄に際して前記股部に対して前記吸収性アセンブリをぴったりと所定の位置に保持するようになったことを特徴とする人体分泌物を吸収するための使い捨てパンツ衣料。
請求項４９
　前記中高部分の幅はそれぞれの前記サイド部材の最高幅の５％から１００％であることを特徴とする特許請求の範囲第４８項に記載の使い捨てパンツ衣料。
請求項５０
　前記中間部分は結合される前に予め伸長されていることを特徴とする特許請求の範囲第４８項に記載の使い捨てパンツ衣料。
請求項５１
　前記サイド部材の端部は前記外側カバーと前記ライナーとの間で結合されていることを特徴とする特徴とする特許請求の範囲第４８項に記載の使い捨てパンツ衣料。
請求項５２
　前記端部は前記吸収性媒体のそれぞれのサイドに直接に接していることを特徴とする特許請求の範囲第５１項に記載の使い捨てパンツ衣料。
請求項５３
　前記端部は前記吸収怪漢体のそれぞれのサイドから０インチ（０ｍｍ）から２インチ（５０.８ｍｍ）の間隔をあけて配置されている特許請求の範囲第５１項に記載の使い捨てパンツ衣料。
請求項５４
　前記サイド部材のそれぞれは前記吸収性媒体の最高幅の０％から５０％の距離だけ前記吸収性媒体のそれぞれのサイドを越えて延びている特許請求の範囲第４８項に記載の使い捨てパンツ衣料。
請求項５５
前記外部カバーは少なくとも二層からなり、該層の最も外側の層は布様の材質からなり、前記層の最も内側の層は液体不浸透性材料からなることを特徴とする特許請求の範囲第４８項に記載の使い捨てパンツ衣料。
請求項５６
　前記最も外側の層はスパンボンディド熱可塑性材であることを特徴とする特許請求の範囲第５５頃に記載の使い捨てパンツ衣料。
請求項５７
　前記最も外側の層は熱可塑性材のボンディングカーディングされたウェブからなることを特徴とする特許請求の範囲第５５項に記載の使い捨てパンツ衣料。
請求項５８
　前記最も内側の層は液体不浸透性のメルトブローされた熱可塑性材であることを特徴とする特許請求の範囲第５５項に記載の使い捨てパンツ衣料。
請求項５９
　前記最も内側の層は熱可塑性材の押し出し成形されたフィルムであることを特徴とする特許請求の範囲第５５頃に記載の使い捨てパンツ衣料。
請求項６０
　前記サイド部材のそれぞれはスレッチボンドされた積層であることを特徴とする特許請求の範囲第４８項に記載の使い捨てパンツ衣料。
請求項６１
　少なくとも一つのシームは手で剥離可能であることを特徴とする特許請求の範囲第４８項に記載の使い捨てパンツ衣料。
請求項６２
　前記サイド部材のそれぞれの引っ張り範囲は１インチ（２５.４ｍｍ）につき５０グラムから１０００グラムであることを特徴とする特許請求の範囲第４８項に記載の使い捨てパンツ衣料。
請求項６３
　前記サイド部材は１０％から５００％の弾性力を備えていることを特徴とする特許請求の範囲第４８項に記載の使い捨てパンツ衣料。
請求項６４
　前記吸収性アセンブリの端部のそれぞれにウエスト弾性部を備えていることを特徴とする特許請求の範囲第４８項に記載の使い捨てパンツ衣料。
請求項６５
　前記ウエスト弾性部は活性化可能な弾性材であることを特徴とする特許請求の範囲第６４項に記載の使い捨てパンツ衣料。
請求項６６
　人体分泌物を吸収するための使い捨てパンツ衣料であって、
　液体不浸透性の外側カバーと液体浸透性のライナー及びそれらの間に配置された吸収性媒体からなる吸収性アセンブリと、
　前記吸収性アセンブリともにウエスト関口部と一対の脚部開口部とを有するパンツ型を形成するように、前記吸収性アセンブリに結合された一対のエラストマ材を少なくとも一層含む伸縮性サイド部材と、
からなり、
　前記伸縮性サイド部材の各々の中間部分が前記脚部開口部のそれぞれの股部の周にほぼ沿って配置され、前記伸縮性サイド部材の各々のエンドセグメント部が前記ウエスト開口部に向かってほぼ内側に傾斜して記置されて、着用者に対しほぼ内側に向けられた力を与え、前記衣料を着用者の体に対しぴったりと保持し、排泄に際して前記股部に対して前記吸収性アセンブリをぴったりと所定の位置に保持するようになったことを特徴とする人体分泌物を吸収するための使い捨てパンツ衣料。
請求項６７
　前記エンドセグメント部の各々の長さは、前記下着の全長の３％から４０％であることを特徴とする特許請求の範囲第６６項に記載の使い捨てパンツ衣料。
請求項６８
　前記エンドセグメント部の各々は前記ウエスト開口部に対して内側に５°から５５°の角度がついていることを特徴とする特許請求の範囲第６６項に記載の使い捨てパンツ衣料。
請求項６９
　前記脚部開口部の各々の前端部は後端部よりも前記ウエスト開口部に近いことを特徴とする特許請求の範囲第６６項に記載の使い捨てパンツ衣料。
請求項７０
　前記サイド部材は前記下着の全表面積の２０％から８０％であることを特徴とする特許請求の範囲第６６項に記載の使い捨てパンツ衣料。
請求項７１
　前記中間部材のそれぞれの幅は、それぞれの前記サイド部材の最高幅の５％から１００％であることを特徴とする特許請求の範囲第６６項に記載の使い捨てパンツ衣料。
請求項７２
　前記サイド部材のそれぞれの端部は前記外側カバーと前記ライナーとの間に結合されていることを特徴とする特許請求の範囲第６６項に記載の使い捨てパンツ衣料。
請求項７３
　前記サイド部材のそれぞれの端部は前記吸収性媒体に直接に接していることを特徴とする特許請求の範囲第６６項に記載の使い捨てパンツ衣料。
請求項７４
　前記サイド部材の各々の前記端部は前記吸収性媒体から１インチ（０ｍｍ）から２インチ（５０.８ｍｍ）の間隔をあけて配置されていることを特徴とする特許請求の範囲第第６６頃に記載の使い捨てパンツ衣料。
請求項７５
　前記サイド部材の各々の前記端部は前記吸収性媒体の最高幅の０％から５０％の長さだけ前記吸収性媒体上に延びていることを特徴とする特許請求の範囲第６６項に記載の使い捨てパンツ衣料。
　
２−３−２．取消理由通知の概要
理由１
　本件請求項１乃至請求項７５に係る発明は、刊行物１（英国特許第１,５２０,７４０号明細書）、刊行物２（米国特許第４,３５５,４２５号明細書）、刊行物３（ＥＰ特許出願公開第０,２１３,６４２号明細書）、刊行物４（米国特許第４,６９０,６８１号明細書）及び刊行物５（米国特許第４,２０５,６７９号明細書）に記載された発明に基いて当業者が容易に発明をすることができたものであるから、本件請求項１乃至請求項７５に係る発明の特許は、特許法第２９条第２項の規定に違反してなされたものである。
理由２
　引用する先行請求項との関係で、技術内容に整合がとれていないから、発明の構成が不明瞭であり、本件特許は特許法第３６条第４項に規定する要件を満たしていない。
　
２−３−３．刊行物
　刊行物には概ね、次の事項が記載されている。
刊行物１
　取り外し可能な吸収性パッドと共に使用される衣料（Sanitary　Garment）であって、衣料は、非伸縮性の中央部材１３の両縁部において前側部材１４と後側部材１５に接続され、前側部材１４と後側部材１５は、中央部材１３の両側と接する一体の非伸縮性布部材として形成可能であり、両部材１４，１５はベルクロストリップ６，７によって接続でき、両側縁部は弾性縁トリミング１０を備えて脚部開口部を備えること。
　吸収性パッド１７は、液浸透性のトップシート、吸収性コア、液不浸透性のバックシートの一体構造をとることができ、この吸収性パッドは、バックシート表面に存在する接着手段を用いて衣料に固定されること。
刊行物２
　ギャザリングを最小にする状態で弾性体が組み込まれたパンティであって、不織布製の砂時計型のパンティ素材（伸縮性布ブランク）１０の縁に沿って弾性縁部材１１を重ねられており、この素材１０の股部に多孔質のトップシートと、吸収性媒体２４と液体不浸透性バックシート２５とから構成される股部材２０を配置したこと。　
刊行物３
　伸縮性外カバー２０に、液体浸透性本体側部ライナ４２，液体不浸透性バリヤー４４および吸収性組成物３８よりなる吸収性アッセンブリーを接着剤５０によって結合した吸収性製品であって、側部フラップにファスナー７０，７２，７４，７６が取り付けられたこと。
刊行物４
　生理用または失禁者用パンティ衣料であって、液体不浸透性フロントパネル２０とこれに連結した２つの伸縮性側部部材２２，２４とを備え、フロントパネル２０に吸収性パッドを結合し、ウエスト部と脚開口部の各々に弾性部材１２，１４を設けたこと。
刊行物５
　使い捨て用または訓練用パンツであって、伸縮性液体透過性トップシートと伸縮性液体不透過性バックシートとの間に介装された吸収性コアから構成され、側部シーム７，８によって結合され、ベルクロ等の機械的なファスナーによって、側部シームが形成されてもよいこと。
２−３−４．当審の判断
　まず、取消理由通知で示した理由２は、本件訂正により解消した。
　次に、取消理由通知で示した理由１について検討する。
　ここで、特許請求の範囲の減縮を目的とした訂正は、独立請求項である請求項１、請求項３９、請求項４８および請求項６６であるので、これらの請求項に係る発明について審理する。
　各請求項には次の記載がある。
請求項１
「前記吸収性アセンブリとともに全体として一つのウエスト開口部と一対の脚部開口部とを有するパンツ型を形成するように、前記吸収性アセンブリの前記サイド縁部の各々に結合された一対の伸縮性サイド部材と、」
請求項３９
「前記吸収性アセンブリとともに全体として一つのウエスト開口部と一対の脚部開口部とを有するパンツ型を形成するように、前記吸収性アセンブリの前記サイド縁部の各々に結合された一対の伸縮性サイド部材と、」
請求項４８
　前記吸収性アセンブリとともにウエスト開口部と一対の脚部開口部とを有するパンツ型を形成するように、前記吸収性アセンブリに結合された一対のエラストマ材を少なくとも一層含む伸縮性サイド部材と、」
請求項６６
「前記吸収性アセンブリともにウエスト開口部と一対の脚部開口部とを有するパンツ型を形成するように、前記吸収性アセンブリに結合された一対のエラストマ材を少なくとも一層含む伸縮性サイド部材と、」
　
　上記記載によれば、前記請求項１，請求項３９，請求項４８及び請求項６６に記載の発明は、いずれも「吸収性アセンブリに結合された一対の伸縮性サイド部材」をその構成要件としているものである。
　これに対し、刊行物１に記載の発明は、非伸縮性の中央部材１３とその両縁部の伸縮性の前側部材１４，後側部材１５とよりなる衣料に取り外し可能な吸収性パッドを接着手段により固定するものであって、吸収性パッドと衣料とは別体のものであるから上記構成要件を備えていない。
　刊行物２記載された発明は、パンティ素材１０の股部に吸収性の股部材を配置したものであって、吸収性の股部材に２つの伸縮性部材を結合したものではなく、上記構成要件を備えていない。
　刊行物３に記載された発明は、伸縮性外カバー２０に吸収性アッセンブリーを接着剤によって結合したものであって、一対の伸縮性サイド部材を前記吸収性アッセンブリーに結合したものではないから、上記構成要件を備えていない。
　刊行物４に記載された発明は、パンティ衣料ではあるが、フロントパネル２０に２つの伸縮性側部部材２２．２４を備えフロントパネル２０に吸収性パッドを結合するものであって、吸収性パッドに２つの伸縮性側部材を結合するものではないから、上記構成要件を備えていない。
　刊行物５は、伸縮性液体透過性トップシートと伸縮性液体不透過性バックシートとの間に介装された吸収性コアから構成されるものであり、吸収性アッセンブリ自体に伸縮性を持たせたものに相当するから、上記構成要件を備えていない。
　以上検討したように、刊行物１乃至刊行物５に記載された発明は、前記請求項１，請求項３９，請求項４８及び請求項６６に記載の発明がいずれも構成要件とする「吸収性アセンブリに結合された一対の伸縮性サイド部材」を備えていない。
　そして、前記構成要件を備えていないのであるから、刊行物１乃至刊行物５に記載された発明を組み合わせたとしても、前記請求項１，請求項３９，請求項４８及び請求項６６に記載された発明を構成することができない。
　しかも、前記請求項１，請求項３９，請求項４８及び請求項６６に記載された発明は、一対の伸縮性サイド部材を吸収性アッセンブリに結合することにより、「ほぼ内方に向けられた力を直接に着用者に与え、排泄に際して前記衣料を着用者の体に対しぴったりと保持させるようになっている。」（訂正明細書第１２頁２４行〜２６行、特許公報第１０欄４３行〜４３行）との訂正明細書記載の作用効果を奏するものである。
　よって、前記請求項１，請求項３９，請求項４８及び請求項６６に記載された発明は、いずれも刊行物１乃至刊行物５に記載された発明に基いて当業者が容易に発明をすることができたものとすることができない。
　また、請求項２乃至請求項３８、請求項４０乃至請求項４７、請求項４９乃至請求項６５、及び請求項６７乃至請求項７５に記載された発明は、いずれも前記独立請求項を引用するものであるから、いずれも前記独立請求項に記載された発明に対するのと同じ理由によって、刊行物１乃至刊行物５に記載された発明に基いて当業者が容易に発明をすることができたものとすることができない。
　よって、訂正後の請求項１乃至請求項７５に記載された発明は、いずれもその出願の際独立して特許を受けることができるものである。
　
２−４．訂正についての結論
　以上検討したとおりであるから、本件訂正のうち訂正事項（ａ）乃至訂正事項（ｄ）は、特許法第１２０条の４第１項及び同条第２項で準用する特許法第１２６条第２項乃至第４項の規定を満たしており、本件訂正のうち訂正事項（ｅ）は、特許法第１２０条の４第１項及び同条第２項で準用し平成６年法律第１１６号附則第６条第１項の規定により「なお従前の例による」とされた改正前の特許法第１２６条第２項の規定を満たしている。
　よって、本件訂正を認める。
３．特許異議申立について
３−１．特許異議申立の理由の概要
理由１
　本件請求項１乃至請求項７５に係る発明は、甲第１号証（英国特許第１,５２０,７４０号明細書）、甲第２号証（米国特許第４,３５５,４２５号明細書）、甲第３号証（ＥＰ特許出願公開第０,２１３,６４２号明細書）、甲第４号証（米国特許第４,６９０,６８１号明細書）及び甲第５号証（米国特許第４,２０５,６７９号明細書）に記載された発明と同一であるか、又は前記甲第１号証乃至甲第５号証に記載された発明に基いて当業者が容易に発明をすることができたものであるから、本件請求項１乃至請求項７５に係る発明の特許は、特許法第２９条第１項第３号又は同法第２９条第２項の規定に違反してなされたものである。
理由２
　従属請求項３，４，６，７，８（１８の誤記と認める。），２０，２１，２３，２４，２６，２８，２９，３１，３２，３５，４２，４３，４５，４６，７３及び７４に記載された発明は、いずれも引用すべき請求項を誤っているから、本件特許は特許法第３６条第６項第２項に規定する要件を満たしていない。
　
３−２．理由１についての当審の判断
　上記２．で検討したように、本件訂正請求が認容されたので、本件請求項１乃至請求項７５に係る発明は、訂正明細書又は図面の記載からみて、その特許請求の範囲の請求項１乃至請求項７５に記載された事項（上記「２−３−１．訂正後の請求項に係る発明」参照。）により特定されるものである。
　甲第１号証乃至甲第５号証は、取消理由通知で引用した刊行物１乃至刊行物５と同じである。
  上記２−３−４で検討したように、本件請求項１乃至請求項７５に係る発明は、いずれも構成要件とする「吸収性アセンブリに結合された一対の伸縮性サイド部材」を備えていない。
  そして、本件請求項１乃至請求項７４に記載された発明は、この点により一対の伸縮性サイド部材を吸収性アッセンブリに結合することにより、「ほぼ内方に向けられた力を直接に着用者に与え、排泄に際して前記衣料を着用者の体に対しぴったりと保持させるようになっている。」（訂正明細書第１２頁２４行〜２６行、特許公報第１０欄４３行〜４３行）との明細書記載の作用効果を奏するものである。
  よって、本件請求項１乃至請求項７５に係る発明は、甲第１号証乃至甲第５号証に記載された発明と同一であるとも、甲第１号証乃至甲第５号証に記載された発明に基いて当業者が容易に発明をすることができたものともすることができないから、本件請求項１乃至請求項７５に係る発明の特許は、特許法第２９条第１項第３号又は特許法第２９条第２項の規定に違反してなされたものとすることができない。
３−３．理由２についての当審の判断
　平成１０年７月９日付け訂正請求が認容された結果、異議申立理由２は解消された。
　
４．むすび
　以上のとおりであるから、異議申立人の主張する理由及び証拠によっては、本件請求項１乃至請求項７５に係る特許を取り消すことができない。
　また、他に本件請求項１乃至請求項７５に係る特許を取り消すべき理由を発見しない。
  よって、結論のとおり決定する。
【異議決定日】
平成１２年５月９日（２０００．５．９）
【訂正の要旨】
訂正の要旨
訂正事項（ａ）
　特許第２５７９６７９号の特許明細書の特許請求の範囲の請求項１の第３行の「相体する」の記載を、誤記の訂正を目的として『相対する』と訂正するとともに、特許請求の範囲の減縮を目的として、同第５行の冒頭の「全体として」の記載の前に、『前記吸収性アセンブリとともに』を挿入し、同第６行の「吸収性アセンブリ」の記載の後に『の前記サイド縁部の各々』の記載を挿入する。
訂正事項（ｂ）
　特許第２５７９６７９号の特許明細書の特許請求の範囲の請求項３９の第３行の「相体する」の記載を、誤記の訂正を目的として『相対する』と訂正するとともに、特許請求の範囲の減縮を目的として、同第５行の冒頭の「全体として」の記載の前に、『前記吸収性アセンブリとともに』を挿入を挿入し、同第６行の「吸収性アセンブリ」の記載の後に『の前記サイド縁部の各々』を挿入する。
訂正事項（ｃ）
　特許第２５７９６７９号の特許明細書の特許請求の範囲の請求項４８の記載を、特許請求の範囲の減縮を目的として第４行の冒頭の「ウエスト開口部」の記載の前に、『前記吸収性アセンブリとともに』を挿入するとともに、同第５行の「一対の」の記載の後に、『エラストマ材を少なくとも一層含む』を挿入する。
訂正事項（ｄ）
　特許第２５７９６７９号の特許明細書の特許請求の範囲の請求項６６の記載を、特許請求の範囲の減縮を目的として第４行の冒頭の「ウエスト開口部」の記載の前に、『前記吸収性アセンブリとともに』を挿入するとともに、同第５行の「一対の」の記載の後に、『エラストマ材を少なくとも一層含む』を挿入する。
訂正事項（ｅ）
　特許第２５７９６７９号の特許明細書の特許請求の範囲の従属請求項の引用請求項を、誤記の訂正を目的として次のように訂正する。
請求項の番号　　　　訂正前の引用請求項　　　　訂正後の引用請求項
　　　３　　　　　　　　　　２　　　　　　　　　　　　１
　　　４　　　　　　　　　　３　　　　　　　　　　　　１
　　　６　　　　　　　　　　５　　　　　　　　　　　　１
　　　７　　　　　　　　　　６　　　　　　　　　　　　１
　　１８　　　　　　　　　１７　　　　　　　　　　　　１
　　２０　　　　　　　　　１９　　　　　　　　　　　１７
　　２１　　　　　　　　　２０　　　　　　　　　　　１７
　　２３　　　　　　　　　２２　　　　　　　　　　　１７
　　２４　　　　　　　　　２３　　　　　　　　　　　１７
　　２６　　　　　　　　　２５　　　　　　　　　　　　１
　　２８　　　　　　　　　２７　　　　　　　　　　　　１
　　２９　　　　　　　　　２８　　　　　　　　　　　　１
　　３１　　　　　　　　　３０　　　　　　　　　　　　１
　　３２　　　　　　　　　３１　　　　　　　　　　　　１
　　３５　　　　　　　　　３４　　　　　　　　　　　３３
　　４２　　　　　　　　　４１　　　　　　　　　　　４０
　　４３　　　　　　　　　４２　　　　　　　　　　　４０
　　４５　　　　　　　　　４４　　　　　　　　　　　４０
　　４６　　　　　　　　　４５　　　　　　　　　　　４０
　　７３　　　　　　　　　７２　　　　　　　　　　　６６
　　７４　　　　　　　　　７２　　　　　　　　　　　６６
（５４）【発明の名称】
使い捨ての吸収性衣料
（５７）【特許請求の範囲】
（１）　人体分泌物を吸収するための使い捨てパンツ衣料であって、
　液体不浸透性の外側カバーと液体浸透性のライナー及びそれらの間に配置された吸収性媒体を備え、ほぼ相対するサイド縁部とほぼ相対するエンド縁部を有する吸収性アセンブリと、
　前記吸収性アセンブリとともに全体として一つのウエスト開口部と一対の脚部開口部とを有するパンツ型を形成するように、前記吸収性アセンブリの前記サイド縁部の各々に結合された一対の伸縮性サイド部材と、
からなり、
　前記伸縮性サイド部材の各々は、少なくとも一層のエラストマ材を含み、これによって、ほぼ内方に向けられた力を直接に着用者に与え、前記衣料を着用者の体に対しぴったりと保持させ、排泄に際して前記吸収性アセンブリを股部に対し所定の位置でフィットさせるようになっており、
　前記脚部開口部のそれぞれの少なくとも一部分をギャザリングするように、前記記脚部開口部の前記部分に沿ってギャザリング手段が配置され、前記脚部開口部のまわりに弾性を与えることにより、排泄物の漏れを防ぐようになったことを特徴とする人体分泌物を吸収するための使い捨てパンツ衣料。
（２）　前記ギャザリング手段の弛緩取り付けの長さは、前記衣料の全長の１０％から１００％であることを特徴とする特許請求の範囲第１項に記載の使い捨てパンツ衣料。
（３）　前記ギャザリング手段の弛緩取り付けの長さは、前記衣料の全長の１０％から５０％であることを特徴とする特許請求の範囲第１項に記載の使い捨てパンツ衣料。
（４）　前記ギャザリング手段の弛緩取り付けの長さは、前記衣料の全長の１５％から２５％であることを特徴とする特許請求の範囲第１項に記載の使い捨てパンツ衣料。
（５）　前記ギャザリング手段は２５％から３５０％の弾性力を備えていることを特徴とする特許請求の範囲第１項に記載の使い捨てパンツ衣料。
（６）　前記ギャザリング手段は３０％から２６０％の弾性力を備えていることを特徴とする特許請求の範囲第１項に記載の使い捨てパンツ衣料。
（７）　前記ギャザリング手段は１２５％から２００％の弾性力を備えていることを特徴とする特許請求の範囲第１項に記載の使い捨てパンツ衣料。
（８）　前記ギャザリング手段のそれぞれは複数の細長い弾性部材であることを特徴とする特許請求の範囲第１項に記載の使い捨てパンツ衣料。
（９）　前記ギャザリング手段の各々はそれぞれの前記脚部開口部に結合されるとき、予め伸長されていることを特徴とする特許請求の範囲第１項に記載の使い捨てパンツ衣料。
（１０）　前記ギャザリング手段のそれぞれは前記伸縮性サイド部材のうちの少なくとも一つからの一体的な延長部分であることを特徴とする特許請求の範囲第１項に記載の使い捨てパンツ衣料。
（１１）　前記不可欠な延長部分のそれぞれは前記吸収性アセンブリに結合されるとき、予め伸長されていることを特徴とする特許請求の範囲第１０項に記載の使い捨てパンツ衣料。
（１２）　一対の実質的に非伸縮性であるサイドセクションを備え、該サイドセクションのそれぞれは前記伸縮性サイド部材のそれぞれの中央部に結合されていることを特徴とする特許請求の範囲第１項に記載の使い捨てパンツ衣料。
（１３）　前記伸縮性サイド部材の少なくとも一つは前記吸収性アセンブリから手で剥離可能であることを特徴とする特許請求の範囲第１項に記載の使い捨てパンツ衣料。
（１４）　前記伸縮性サイド部材のそれぞれはストレッチボンディングされた積層材であることを特徴とする特許請求の範囲第１項に記載の使い捨てパンツ衣料。
（１５）　前記ストレッチボンディングされた積層材は少なくとも２つの層からなり、該層のうちの一つはエラストマ材からできていることを特徴とする特許請求の範囲第１４項に記載の使い捨てパンツ衣料。
（１６）　前記ストレッチボンディングされた積層材は三つの層からなり、その中央の層はエラストマ材からなることを特徴とする特許請求の範囲第１４項に記載の使い捨てパンツ衣料。
（１７）　前記ギャザリング手段のそれぞれの少なくとも一つの縁部は前記外側カバーとライナーとの間に結合されていることを特徴とする特許請求の範囲第１項に記載の使い捨てパンツ衣料。
（１８）　前記ギャザリング手段の縁部は前記吸収性媒体のそれぞれのサイドに直接的に接していることを特徴とする特許請求の範囲第１項に記載の使い捨てパンツ衣料。
（１９）　前記ギャザリング手段の縁部は前記吸収性媒体のそれぞれのサイドから０インチ（０ｍｍ）から２インチ（５０．８ｍｍ）の間隔をあけて配置されていることを特徴とする特許請求の範囲第１７項に記載の使い捨てパンツ衣料。
（２０）　前記ギャザリング手段の縁部は前記サイドから０インチ（０ｍｍ）から１インチ（２５．４ｍｍ）の間隔をあけて配置されていることを特徴とする特許請求の範囲第１７項に記載の使い捨てパンツ衣料。
（２１）前記ギャザリング手段の縁部は前記サイドより０インチ（０ｍｍ）から１／２インチ（１２．７ｍｍ）の間隔をあけて配置されていることを特徴とする特許請求の範囲第１７項に記載の使い捨てパンツ衣料。
（２２）前記ギャザリング手段の縁部のそれぞれは前記吸収性媒体の最大幅の０％から５０％の長さだけ前記吸収性媒体のそれぞれのサイド上に延びていることを特徴とする特許請求の範囲第１７項に記載の使い捨てパンツ衣料。
（２３）前記ギャザリング手段の縁部のそれぞれは前記吸収性媒体の最大幅の３％から２０％の長さだけ前記吸収性媒体のそれぞれの前記サイド上に延びていることを特徴とする特許請求の範囲第１７項に記載の使い捨てパンツ衣料。
（２４）前記ギャザリング手段の縁部のそれぞれは前記吸収性媒体の最大幅の６％から１２％の長さだけ前記吸収性媒体のそれぞれのサイド上に延びていることを特徴とする特許請求の範囲第１７項に記載の使い捨てパンツ衣料。
（２５）前記サイド部材のそれぞれは１インチ（２５．４ｍｍ）あたり５０グラムから１０００グラムの引っ張り範囲を備えていることを特徴とする特許請求の範囲第１項に記載の使い捨てパンツ衣料。
（２６）前記サイド部材のそれぞれは１インチ（２５．４ｍｍ）あたり２００グラムから５００グラムの引っ張り範囲を備えていることを特徴とする特許請求の範囲第１項に記載の使い捨てパンツ衣料。
（２７）前記サイド部材のそれぞれは１０％から５００％の弾性力を備えていることを特徴とする特許請求の範囲第１項に記載の使い捨てパンツ衣料。
（２８）前記サイド部材のそれぞれは５０％から３００％の弾性力を備えていることを特徴とする特許請求の範囲第１項に記載の使い捨てパンツ衣料。
（２９）前記サイド部材のそれぞれは７５％から２００％の弾性力を備えていることを特徴とする特許請求の範囲第１項に記載の使い捨てパンツ衣料。
（３０）前記サイド部材は前記衣料の全表面積の２０％から８０％を構成していることを特徴とする特許請求の範囲第１項に記載の使い捨てパンツ衣料。
（３１）前記サイド部材は前記衣料の全表面積の２５％から５０％を構成していることを特徴とする特許請求の範囲第１項に記載の使い捨てパンツ衣料。
（３２）前記サイド部材は前記衣料の全表面積の３５％から４５％を構成していることを特徴とする特許請求の範囲第１項に記載の使い捨てパンツ衣料。
（３３）前記ギャザリング手段の各々の幅はそれぞれの前記サイド部材の１％から１００％であることを特徴とする特許請求の範囲第１項に記載の使い捨てパンツ衣料。
（３４）前記ギャザリング手段の各々の幅はそれぞれの前記サイド部材の最大幅の２０％から８０％であることを特徴とする特許請求の範囲第３３項に記載の使い捨てパンツ衣料。
（３５）前記ギャザリング手段の各々の幅はそれぞれの前記サイド部材の最大幅の３０％から５０％であることを特徴とする特許請求の範囲第３３項に記載の使い捨てパンツ衣料。
（３６）前記外側カバーは少なくとも二層からなり、前記層のうち最も外側の層は布様の材質からなり、前記層のうち最も内側の層は液体不浸透性材料からなることを特徴とする特許請求の範囲第１項に記載の使い捨てパンツ衣料。
（３７）前記吸収性アセンブリの少なくとも一つの端部においてウエスト弾性部を備えていることを特徴とする特許請求の範囲第１項に記載の使い捨てパンツ衣料。
（３８）前記ウエスト弾性部は複数の弾性材からなることを特徴とする特許請求の範囲第３７項に記載の使い捨てパンツ衣料。
（３９）人体分泌物を吸収するための使い捨てパンツ衣料であって、
　液体不浸透性の外側カバーと液体浸透性のライナー及びそれらの間に配置された吸収性媒体を備え、ほぼ相対するサイド縁部とほぼ相対するエンド縁部を有する吸収性アセンブリと、
　前記吸収性アセンブリとともに全体として一つのウエスト開口部と一対の脚部開口部とを有するパンツ型を形成するように、前記吸収性アセンブリの前記サイド縁部の各々に結合された一対の伸縮性サイド部材と、
からなり、
　前記伸縮性サイド部材の各々は、少なくとも一層のエラストマ材を含み、これによって、ほぼ内方に向けられた力を直接に着用者に与え）排泄に際して前記衣料を着用者の体に対しぴったりと保持させるようになっており、
　前記伸縮性サイド部材は、前記脚部開口部の各々の部分に沿って、ほぼ周方向に配置されており、
　前記脚部開口部の各々の残余部分に沿ってギャザリング手段が配置され、
　前記伸縮性サイド部材及び前記ギャザリング手段は、前記脚部開口部の周にほぼ沿って該脚部開口部に弾性力を与えて排泄物の漏れを防ぐようになったことを特徴とする人体分泌物を吸収するための使い捨てパンツ衣料。
（４０）前記伸縮性サイド部材の少なくとも一つのエンドセグメント部分が前記ウエスト開口部に対して、ほぼ内側に角度配置されていることを特徴とする特許請求の範囲第３９項に記載の使い捨てパンツ衣料。
（４１）前記エンドセグメントの長さは前記衣料の全長の３％から４０％であることを特徴とする特許請求の範囲第４０項に記載の使い捨てパンツ衣料。
（４２）前記エンドセグメントの長さは前記衣料の全長の５％から２５％であることを特徴とする特許請求の範囲第４０項に記載の使い捨てパンツ衣料。
（４３）前記エンドセグメントの長さは前記衣料の全長の１０％から１５％であることを特徴とする特許請求の範囲第４０項に記載の使い捨てパンツ衣料。
（４４）前記エンドセグメントは前記ウエスト開口部に向けて内側に５゜から５５゜の角度がついていることを特徴とする特許請求の範囲第４０項に記載の使い捨てパンツ衣料。
（４５）前記エンドセグメントは前記ウエスト開口部に向けて内側に１０゜から４０゜の角度がついていることを特徴とする特許請求の範囲第４０項に記載の使い捨てパンツ衣料。
（４６）前記エンドセグメントは前記ウエスト開口部に向けて内側に１５゜から３０゜の角度がついていることを特徴とする特許請求の範囲第４０項に記載の使い捨てパンツ衣料。
（４７）前記脚部開口部のそれぞれの前縁部は後縁部よりも前記ウエスト開口部に近いことを特徴とする特許請求の範囲第３９項に記載の使い捨てパンツ衣料。
（４８）人体分泌物を吸収するための使い捨てパンツ衣料であって、
　液体不浸透性の外側カバーと液体浸透性のライナー及びそれらの間に配置された吸収性媒体からなる吸収性アセンブリと、
　前記吸収性アセンブリとともにウエスト開口部と一対の脚部開口部とを有するパンツ型を形成するように、前記吸収性アセンブリに結合された一対のエラストマ材を少なくとも一層含む伸縮性サイド部材と、
からなり、
　前記伸縮性サイド部材の各々の中間部分が前記脚部開口部のそれぞれの股部の周にほぼ沿って配置されて、着用者に対しほぼ内側に向けられた力を与え、前記衣料を着用者の体に対しぴったりと保持し、排泄に際して前記股部に対して前記吸収性アセンブリをぴったりと所定の位置に保持するようになったことを特徴とする人体分泌物を吸収するための使い捨てパンツ衣料。
（４９）前記中間部分の幅はそれぞれの前記サイド部材の最高幅の５％から１００％であることを特徴とする特許請求の範囲第４８項に記載の使い捨てパンツ衣料。
（５０）前記中間部分は結合される前に予め伸長されていることを特徴とする特許請求の範囲第４８項に記載の使い捨てパンツ衣料。
（５１）前記サイド部材の端部は前記外側カバーと前記ライナーとの蘭で結合されていることを特徴とする特徴とする特許請求の範囲第４８項に記載の使い捨てパンツ衣料。
（５２）前記端部は前記吸収性媒体のそれぞれのサイドに直接に接していることを特徴とする特許請求の範囲第５１項に記載の使い捨てパンツ衣料。
（５３）前記端部は前記吸収性媒体のそれぞれのサイドから０インチ（０ｍｍ）から２インチ（５０．８ｍｍ）の間隔をあけて配置されている特許請求の範囲第５１項に記載の使い捨てパンツ衣料。
（５４）前記サイド部材のそれぞれは前記吸収性媒体の最高幅の０％から５０％の距離だけ前記吸収性媒体のそれぞれのサイドを越えて延びている特許請求の範囲第４８項に記載の使い捨てパンツ衣料。
（５５）前記外部カバーは少なくとも二層からなり、該層の最も外側の層は布様の材質からなり、前記層の最も内側の層は液体不浸透性材料からなることを特徴とする特許請求の範囲第４８項に記載の使い捨てパンツ衣料。
（５６）前記最も外側の層はスパンボンディド熱可塑性材であることを特徴とする特許請求の範囲第５５項に記載の使い捨てパンツ衣料。
（５７）前記最も外側の層は熱可塑性材のボンディングカーディングされたウェブからなることを特徴とする特許請求の範囲第５５項に記載の使い捨てパンツ衣料。
（５８）前記最も内側の層は液体不浸透性のメルトブローされた熱可塑性材であることを特徴とする特許請求の範囲第５５項に記載の使い捨てパンツ衣料。
（５９）前記最も内側の層は熱可塑性材の押し出し成形されたフィルムであることを特徴とする特許請求の範囲第５５項に記載の使い捨てパンツ衣料。
（６０）前記サイド部材のそれぞれはスレッチボンドされた積層であることを特徴とする特許請求の範囲第４８項に記載の使い捨てパンツ衣料。
（６１）少なくとも一つのシームは手で剥離可能であることを特徴とする特許請求の範囲第４８項に記載の使い捨てパンツ衣料。
（６２）前記サイド部材のそれぞれの引っ張り範囲は１インチ（２５．４ｍｍ）につき５０グラムから１０００グラムであることを特徴とする特許請求の範囲第４８項に記載の使い捨てパンツ衣料。
（６３）前記サイド部材は１０％から５００％の弾性力を備えていることを特徴とする特許請求の範囲第４８項に記載の使い捨てパンツ衣料。
（６４）前記吸収性アセンブリの端部のそれぞれにウエスト弾性部を備えていることを特徴とする特許請求の範囲第４８項に記載の使い捨てパンツ衣料。
（６５）前記ウエスト弾性部は活性化可能な弾性材であることを特徴とする特許請求の範囲第６４項に記載の使い捨てパンツ衣料。
（６６）人体分泌物を吸収するための使い捨てパンツ衣料であって、
　液体不浸透性の外側カバーと液体浸透性のライナー及びそれらの間に配置された吸収性媒体からなる吸収性アセンブリと、
　前記吸収性アセンブリともにウエスト開口部と一対の脚部開口部とを有するパンツ型を形成するよりに、前記吸収性アセンブリに結合された一対のエラストマ材を少なくとも一層含む伸縮性サイド部材と、
からなり、
　前記伸縮性サイド部材の各々の中間部分が前記脚部開口部のそれぞれの股部の周にほぼ沿って配置され、前記伸縮性サイド部材の各々のエンドセグメント部が前記ウエスト開口部に向かってほぼ内側に傾斜して配置されて、着用者に対しほぼ内側に向けられた力を与え、前記衣料を着用者の体に対しぴったりと保持し、排泄に際して前記股部に対して前記吸収性アセンブリをぴったりと所定の位置に保持するようになったことを特徴とする人体分泌物を吸収するための使い捨てパンツ衣料。
（６７）前記エンドセグメント部の各々の長さは、前記下着の全長の３％から４０％であることを特徴とする特許請求の範囲第６６項に記載の使い捨てパンツ衣料。
（６８）前記エンドセグメント部の各々は前記ウエスト開口部に対して内側に５゜から５５゜の角度がついていることを特徴とする特許請求の範囲第６６項に記載の使い捨てパンツ衣料。
（６９）前記脚部開口部の各々の前端部は後端部よりも前記ウエスト開口部に近いことを特徴とする特許請求の範囲第６６項に記載の使い捨てパンツ衣料。
（７０）前記サイド部材は前記下着の全表面積の２０％から８０％であることを特徴とする特許請求の範囲第６６項に記載の使い捨てパンツ衣料。
（７１）前記中間部材のそれぞれの幅は、それぞれの前記サイド部材の最高幅の５％から１００％であることを特徴とする特許請求の範囲第６６項に記載の使い捨てパンツ衣料。
（７２）前記サイド部材のそれぞれの端部は前記外側カバーと前記ライナーとの間に結合されていることを特徴とする特許請求の範囲第６６項に記載の使い捨てパンツ衣料。
（７３）前記サイド部材のそれぞれの端部は前記吸収性媒体に直接に接していることを特徴とする特許請求の範囲第６６項に記載の使い捨てパンツ衣料。
（７４）前記サイド部材の各々の前記端部は前記吸収性媒体から１インチ（０ｍｍ）から２インチ（５０．８ｍｍ）の間隔をあけて配置されていることを特徴とする特許請求の範囲第第６６項に記載の使い捨てパンツ衣料。
（７５）前記サイド部材の各々の前記端部は前記吸収性媒体の最高幅の０％から５０％の長さだけ前記吸収性媒体上に延びていることを特徴とする特許請求の範囲第６６項に記載の使い捨てパンツ衣料。
【発明の詳細な説明】
（産業上の利用分野）
　本発明は、吸収性衣料、さらに限定的にいうと、子供のトレーニングパンツ、大人の失禁用衣料、赤ん坊のオムツなどとして用いる吸収性衣料に関するものである。
（従来の技術）
　現在、使い捨ての吸収性衣料は子供の世話及び大人の失禁の世話に広く用いられており、一般に布オムツといった再使用可能な布製吸収性衣料の使用に置き換わってきている。典型的な使い捨て吸収性衣料は、液体浸透性の体側ライナ、液体不浸透性の外側カバーそして体側ライナーと外側カバーの間に置かれた吸収性芯を含む三層の複合構造である。現在使い捨て吸収性衣料の３つの主要要素のために一般に用いられている材料には、体側ライナー用としてさまざまなタイプの不織布、外側カバー用として薄い熱可塑性フィルムそして吸収性芯としてセルコース毛羽（フラフ）などがある。
　使い捨て吸収性衣料の１つのタイプとして現在市販されているオムツは、幼児を寝かせた状態でそのまわりに装着させる平坦でオープンサイドの衣料である。オムツは子供が小さくそれを子供に装着するのに親に依存している場合に使用するようになっている。
　使い捨てオムツが一般に人気を博したことから、我々は、子供がオムツを卒業すべく成長したときに使用できる使い捨てのトレーニングパンツに対する需要があると考えるに至った。オムツは標準的に約１５ヵ月までの月齢の幼児に使用されている。子供が約１５か月から３０か月の月齢に達したとき、一般に親は、子供が親から独立できるよう排泄のしつけを始めたいと考える。トレーニングパンツは、子供が、それまて使っていた使い捨てオムツに代わるものとしてパンツタイプの衣料へと卒業できる準備が整う月齢に達したときに使用すべくものである。従って適切なトレーニングパンツは、親の助けなく子供が必要に応じてそれを上げ降ろしできるようサイドが閉じた衣料でなくてはならない。同時にトレーニングパンツは液体及び固体の吸収性という特徴を提供し廃液の漏れを防ぐものではなくてはならない。
　布製トレーニングパンツは広く使われているものの欠点を有する。すなわち現在の布製トレーニングパンツはほとんど吸収性がなく往々にして外側のゴム製又はプラスチック製パンツと共に用いられなくてはならない。子供が布製ロングパンツをぬらした場合、子供が衣服も全く着替えさせなければならないことが多い。さらに、子供が排便をした場合には、便にまみれずに布製パンツを脱がせるのはむずかしく、パンツは水にしたしておいて、漂白しなくてはならない。これらの要因全てのため子供にとっても親にとっても排泄のしつけのプロセスはいらいらさせるものとなる可能性がある。
　さらに、排泄のしつけ段階の心理は、子供が自ら使いすてオムツと違う衣料へと卒業していこうとしているということを自覚しなければならないようなものである。従って、フッィト感、もれ及び排泄のしつけの心理学に関する上述の必要条件を満たすような子供用使い着てトレーニングパンツに対する必要性があることは明白である。
　もう１つのタイプの使い捨て吸収性用品として、大人及び年齢の大きい子供のための現在用いられている失禁用製品のいくつかは、そのかさばり性と効果の低いさのため満足のいくものでないことがわかっている。これらの衣料の多くは、とくに股部分がかさばっているオムツのような構造に平坦なシートを折り畳んで形作られている。このタイプの衣料はさらに活動中移動させられてしまう傾向をもつ。明らかに活動的な人にとってこれらのオムツタイブの衣料はかさばり個々の動きの邪魔となり、衣服を消耗させるため望ましいものではない。さらに股、大量の材料が使用されることからこれらの大人用オムツタイブ衣料は比較的高価なものとならざるをえない。
（課題を解決するための手段）
　本発明の一実施態様において、液体不浸透性の外側カバー、液体浸透性の体側ライナー及び吸収性媒体を含む吸収性アセンブリを含む、人体分泌物を吸収するための使い捨てパンツ様衣料が健供されている。この吸収性アセンブリには、さらに、一般に相対するサイド縁部と一般に相対するエンド縁部が含まれている。吸収性アセンブリのサイド縁部には１対の伸縮性サイドパネルが結合され、ウエスト及び脚部の開口部を形成している。各脚部開口部の少なくとも一部分に沿って、着用者の脚のまわりでこの部分をギャザリングするためのギャザリング手段が結合されている。本発明においては、一対のサイド部材の各々は、少なくとも一層のエラストマ材を含み、これによって、ほぼ内方に向けられた力を直接に着用者に与え、排泄に際して前記衣料を着用者の体に対しぴったりと保持させるようになっている。
（実施例）
　第１図及び第３図を参照すると、吸収性衣料用として１つの実施態様が示されている。衣料２は一般に、排泄物封じ込めセクション４と２つのサイドパネル６、８が含まれこれらウエスト開口部１０と一対の脚部開口部１２、１４を構成している。両方のサイドパネル６、８の全表面積は、衣料２の全表面積の２０％から８０％、できれば２５％から５０％さらに好ましくは３５％から４５％を含んでいる。第１図は、点線で着用者の胴部分１６に装着された吸収性衣料２を示している。サイドパネル６は、非伸縮性材料で作られている中間部材２２と連結する伸縮性サイド部材１８及び伸縮性サイド部材２０を含んでいる。同様に、サイドパネル８は、非伸縮性材料でできた中間部材２８と連結する伸縮性サイド部材２４と伸縮性サイド部材２６を含んでいる。第１図に示されているように、中間部材２２、２８は両者共それぞれのシーム３０、３２により結合された２つの半部分でできている。同様に、シール３４は伸縮性サイド部材１８を中間部材２２に、シーム３６は伸縮性サイド部材２４を中間部材２２に、シーム３８は伸縮性サイド部材２４を中間部材２８にそしてシーム４０は伸縮性サイド部材２６を中間部材２８に結合している。
　以下「弾性」「伸縮率」及び「伸び」という語は、さまざまな材料の特性を描写するため互換性もって使用されている。これらの語の意味は同じと考えられる。すなわち、これらは、その材料が伸張されうるものであり、弛緩した時点でその当初の形状を回復する傾向をもつことを意味する。
　衣料２には又、ウエスト開口部１０に沿って付加的な弾性を与えるため前方ウエスト弾性部材４２と後方ウエスト弾性部材４４も含まれている。脚部弾性帯４６にはサイドパネル６、８の間に排泄物封じ込めセクション４が備わっている。
　ここで第５図を参照すると、吸収性衣料２は、製造工程中にそれがとる２次元のつまり平面の形で表わされている。伸縮性サイド部材１８は排泄物封じ込めセクション４ならびに中間部材２２の一部分にシーム３４にて結合され、共に内側縁部４８、サイド縁部５０及びエンド縁部５２を形成している。同様に、伸縮性サイド部材２０及びその中間部材の一部分２２はシーム３６で結合されて内側縁部５４、サイド縁部５６及びエンド縁部５８を形成している。第５図には２つの半部分の形で中間部材２２が示されているが、これは中央にシームのない１つの体化した部材であってもよい。
　伸縮性サイド部材２４及びその中間部材２８の一部分はシーム３８で結合され、内側縁部６０、サイド縁部６２及びエンド縁部６４を形成している。シーム４０で結合されている伸縮性サイド部材２６及びその中間部材２８の一部分は、内側縁部６６、サイド縁部６８及びエンド縁部７０を形成している。ここでも、中間部材２８は、第５図に示されているように２つの部分でとりつけられるのではなく、伸縮佳サイド部材２４又は２６のいずれかに対し１つの完全な部分としてとりつけられることができるようにするような形状つまり幾何形状であってよい。一般に、サイド縁部５０、５６、６２又は６８の長さは、衣料の全長の関数である。例えば、サイド縁部５０、５６、６２又は６８の望ましい長さは衣料全長の５％から５０％である。好ましい長さは衣料全長の１５％から４０％であり、さらに好ましい長さは衣料全長の３０％から４０％である。衣料全長は一般にエンド縁部５２とエンド縁部６４の問又はエンド縁部５８とエンド縁部７０の間に測定される。衣料全長は一般に１２インチ（３０４．８ｍｍ）から３０インチ（７６２ｍｍ）までである。縁部５０と縁部５６又は縁部６２と縁部６２の間で測定された衣料全長は、一般に６インチ（１５２．４ｍｍ）から３０インチ（７５２ｍｍ）までである。
　上述のように、脚部カットアウト７２は、脚部弾性帯４６に沿って排泄物封じ込めセクション４の中間部分７６と内側縁部４８、６０により形成される。同様に脚部カットアウト７４は、もう１つの脚部弾性帯４６に沿って排泄物封じ込めセクション４の中間部分７８と内側縁部５４、６６により形成される。第５図ではその縦方向及び横方向の両軸について対称なものとして示されているが、吸収性衣料２は、例えば中間部分７６、７８のサイズを変えるか又は中間部分７６、７８を前方ウエスト弾性部材４２又はウエスト弾性部材４４の方に移動させることによりデザイン又は形状を変えることができる。かかるデザイン又は形状の変化は当然のことながら伸縮性サイド部材１８、２０、２４、２６及び中間部材２２、２８のデザイン又は形状の変化を伴う。吸収性衣料２のデザイン又は形状は又、内側縁部４８、５４、６０及び６６の曲率例えばその曲率半径を変えることによっても変化させることができる。
　伸縮性サイド部材１８、２０、２４、２６は、ポリスチレン、ポリイソプレン又はポリブタジエンのブロック共重合体、エチレンの共重合体、天然ゴム、ウレタン、Ｋｒａｔｏｎｓ及びこれらの混合／コエクストルージョンといった単一層の織又は不識弾性又は伸縮性材料でできていてよい。適切なエラストマ材料のその他の例としては、エチンレ、酢酸ビニル−エチレン、酢酸エチル−エチレン、アクリル酸−エチレン及びアクリル駿メチル−エチレン、そしてさまざまな割合でのエチレン共重合体とポリブロピエンの共重合体がある。さらに、さまざまな割合又はミル厚での酢酸ビニル−エチレン、酢酸エチル−エチレン、アクリル酸エチレン、アクリル酸メチル−エチレン及びポリプロピレンのコエクストルージョン複合物も、弾性材料として用いることができる。又、ポリプロピレン、ポリエステル、綿又はその他の適当なステープルファイバがエラストマメルトブローウェブに統合されている、エラストマステーブル内含複合材もある。伸縮性サイド部材１８、２０、２４、２６も弾性材料のフィルムであってよい。
　上述のエラストマ材料は、フイルム押出し成形、スパンボンドプロセス、メルトブロープロセスなどの適切ないかなるプロセスによってでも形成されうる。
　伸縮性サイド部材１８、２０、２４、２６は又全ての方向に弾性をもち、通気性がある。すなわち蒸気浸透性があるが液体に対しては不浸透性であるようなストレッチボンディングされた積層材であってもよい。第９図及び第１０図は、それぞれ伸張された状態及び弛緩された状態のストレッチボンディングされた積層材８０を示している。ストレッチボンディングされた積層材８０には一般に外側層８２、内側の体側層８４そして層８２と８４の問に配置された弾性層８６が含まれている。層８２、８４は外側及び内側としてそれぞれ表わされているが、これらは同じ材料ででき互換性のあるものであってよい。
　層８２、８４は、いかなる織地又は不織の材質でできていてもよいが、できれば不織繊維材料でできていることが望ましい。不織繊維材料の例としては、熱によりボンディングされたポリプロピレン、ポリエチレン、ポリエステル；スパンボンデッドポリプロピレン、スパンボンデットポリエチレン又はその混合；メルトブローされたプリプロピレン、メルトブローされたポリエチレン又はその混合物；合成又は天然繊維のボンディング・カーディングされたウェブ又はその混合物；熱可塑性材料の押出し加工されたフィルムなどのようなさまざまな形でボンディングされたポリオレフィン繊維がある。当然のことながら、ポリオレフィン又はその材料の共重合体も使用できる。
　弾性のすなわち伸縮性の層８６は、できればブタジエン、イソプレン、スチレン、アクリル酸メチル−エチレン、酢酸ビニル−エチレン、アクリル酸エチル−エチレン又はその混合物といったブロック又はグラフト共重合体のメルトブロー物又はフィルムであることが望ましい。好ましい１エラストマ材は、スチレン−エチルブタジエン−スチレンのブロック共重合体である。弾性層８６を作ることのできるその他のタイプの材料は、ブタジエン、イソプレン、スチレン、アクリル酸メチル−エチレン、酢酸ビニルネ−エチレン、アクリル酸エチル−エチレン又はこれらの混合物のブロック又はグラフト共重合体のメルトブロー物又はフィルムである。好ましい１エラストマ材料は、スチレン−エチルブタジエン−スチレンのブロック共重合体である。弾性層又は伸縮性層８６を作ることのできるその他のタイプの材料は、Ｋｒａｔｏｎ　Ｇ−１６５０、　Ｋｒｔｏｎ　Ｇ−１６５２、　Ｋｒａｔｏｎ　Ｇｘ−１６５７そして好ましくはＫｒａｔｏｎ　Ｇ−２７４０ＸといったＳｈｅｌｌ　Ｃｈｅｍｉｃａｌ　Ｃｏｍｐａｎｙ　からのＫｒａｔｏｎ　Ｇシリーズである。又、Ｋｒａｔｏｎ　Ｄシリーズならびにポリエステルエラストマ材料、ポリウレタンエラストマ材料、そしてポリアミドエラストマ材料も用いることができる。サイドパネル６，８を作っている伸縮性又はエアストマ材料は又層８６のためにも用いることができ、層８６を作ることのできる上述されたばかりの伸縮性又はエラストマを材料がサイドパネル６、８を作るために用いられることも可能である。
　標準的には、ストレッチボンディングされた積層材は、弾性又は伸縮性層を選ばれた伸びにまで伸張させ、伸張された弾性層上に伸張されていない層を置き、これらの層を合わせてボンディングし、弾性層がその他の層をギャザリングするように層を弛緩させることによって作られる。
　ここで第５図の断面図である第１１図を参照すると、伸縮性サイド部材１８、２０、２４、２６と排泄物封じ込めセクション４のとりつけが示されている。排泄物封じ込めセクション４は一般に液体浸透性の体側ライナー８８、液体不浸透性の外側カバー９０そしてライナー８８とカバー９０の間の吸収性媒体９２を含んでいる。外側カバー９０は、ポリエチレン、ポリプロピレ、ポリエステル又はその混合物の鋳造又はブコー成形フィルムを含む、織地の又は不識の材料、フィルム又はフィルムコーティングされた不織材料であってよい。外側カバー９０は又、熱可塑性材料のスパンボンデッド・メルトブロー複合物又はスパンボンデッド−メルトブロースパンボンデッド熱可塑性材料といったような、ボンディング・カーディングされた又はスパンボンディング又はメルトブローされた材料の複合物であってもよい。なおここで、スパンボンデッド層は布のようなきめ（テクスチャ）を与えメルトブロー層は液体不浸透性を与えることができる。外側カバー９０を作ることのできる材料には、一平方ヤードあたり約０．４オンス、１平方メートルあたり約１０グラム又上述のものよりも大きい秤量といった高い秤量をもつ不織材が含まれる。
　外側カバー９０は又ポリオレフィン重合体又は共重合体又はその他の熱可塑性材料の押出し加工フィルムであってもよい。
　体側ライナー８８は、ポリプロピレン又はポリエチレン又はポリエステル繊維といったポリオレフィン繊維のあらゆる柔軟な多孔シート，スパンボンデッドポリプロピレン又はポリエチレン又はポリエステル繊維のウェブ；レーヨン繊維のウェブ；合成繊維又は天然繊維又はその混合物のボンディング・ガーディングされたウェブといった織地材料又は不織材料であってもよい。ライナー８８は、有孔プラスチックフィルムであってもよい。ライナー８８は一般に１２インチ（３０４．８ｍｍ）から３０インチ（７６２ｍｍ）までの長さならびに３インチ（７６２ｍｍ）から２０インチ（５０８ｍｍ）までの幅を有する。
　吸収性媒体９２は、木材パルスのけば又は木材パルスけばと超吸収性材料の混合物又は界面活性剤で処理された熱可塑性吸収性材料と統合された木材パルスけばででき
超吸収材との混合物又は積層の形で用いることができる。媒体９２は、メルトブローされた合成繊維の芯、合成又は天然繊維又はその混合物のボンディング・カーディングされたウェブ、メルトブロー繊維の複合物であってもよい。合成繊維は、ポリプロピレン、ポリエチレン、ポリエステル及びこれらの又はその他のポリオレフィンの共重合体であってもよいが、これらに限られているわけではない。媒体９２は一般に３インチ（７６．２ｍｍ）から３０インチ（７６２ｍｍ）の長さと約３インチ（７６．２ｍｍ）から２０インチ（５０８ｍｍ）までの幅を有する。
　第１１図に示されているように、外側カバー９０及び体側ライナー８８は吸収性媒体９２をサンドイッチ状にはさんでおり、この吸収性媒体はできれば何らかの適当な接着剤又はその他の手段により外側カバー９０のみに接着されていることが望ましい。代替的には、吸収性媒体９２は体側ライナ８８又は体側ライナ８８と外側カバー９０の回方に結合されうる。体側ライナー８８の縦方向縁部９４及び外側カバー９０の縦方向縁部９６も、伸縮性サイド部材２４、２６のそれぞれの縁部をサンドイッチにし、これらを排泄物封じ込めセクション４に結合している。伸縮性サイド部材２４、２６はヒートシール、超音波シーリング、接着材シーリング又は縫製その他の従来の手段によりそれぞれの縁部９４、９６の間に結合又は接着されていてもよい。
　第１１図に示されているように、伸縮性サイド部材２４、２６は、それぞれの吸収性サイド１０２、１０４からわずかに間隔どりされているものとして示されているそれぞれの内側サイド９８、１００を有する。独自な特徴の１つは、内側サイド９８、１００と吸収性サイド１０２、１０４の間の位置関係である。望まれる弾性度及びギャザリング量に応じて、内側サイド９８、１００をそれぞれの吸収性サイド１０２、１０４から異なる距離のところに位置づけることができる。例えば、内側サイド９８、１００は、最大のギャザリングを与えるため吸収性サイド１０２、１０４に対し直接突合わさった状態にあってもよいし、又、望まれるとおりにそれぞれの吸収性サイド１０２、１０４から離して置かれていてもよい。内側サイド９８、１００とそれぞれの吸収性サイド１０２、１０４の間の望ましい距離範囲は０インチ（０ｍｍ）から２インチ（５０．８ｍｍ）である。内側サイド９８、１００と吸収性サイド１０２、１０４の問の好ましい距離範囲は０インチ（０ｍｍ）から１インチ（２５．４ｍｍ）までであり、さらに好ましい距離は０インチ（０ｍｍ）から１／２インチ（１２．７ｍｍ）である。
　内側サイド９８、１００が吸収性サイド１０２、１０４に対し突き合わさった状態にある場合、その効果は、漏れに対する付加的な密封性を提供すること、そしてサイドパネルから吸収材へのより均等な遷移が可能となることにある。
　内側サイド９８、１００が吸収性サイド１０２、１０４から徐々に離れて置かれるにつれて、その結果は、各脚部開口部において脚部のガスケッチングに対し付加的な柔軟性を与えることにある。
　第１２図を参照すると、第１１図の構造に対する変形態様に示されている。体側ライナー８８の縦方向縁部９４はほぼ吸収性サイド１０２、１０４で終結している。外側カバー９０の縦方向縁部９６は吸収性サイド１０２、１０４と縁部９４と重なり合い、液体不浸透性のバッフル（邪魔板）１０６を形成する。次に伸縮性サイド部材２４、２６はバッフル１０６を形成する縁部９６の上面に結合され、そのため外側カバ９８の縁部９６はそれぞれの伸縮性サイド部材２４、２６と体側ライナ８８の問に結合されることになる。第１２図に示されているように、内側サイド９８、１００は、縁部９４の遠隔端部とほぼ一致している。流体をよりよく制御するために必要とあらば、ここでも外側カバー９０の重なり合う縁部９６であるバッフル１０６は体側ライナ８８上をさらに内側にそして内側サイド９８、１００を超えて延び、より幅広いバッフル１０６を作り出すことができる。このように吸収性媒体９２の中央部分に向かってバッフル１０６を延ばすことにより、縦方向及び横方向の両方向に起こりうる流体逆流量が減少し、こうしてさらに脚部開口部１２、１４のまわりのあらゆる流体の漏れの危険性を低減することができる。
　第１３図を参照すると、第１１図のもう１つの変形実施態様が示されている。この特定の変形実施態様において、外側カバー９０の縁部９６は吸収性媒体９２のみと重なり合う。このとき伸縮性サイド部材２４、２６は、ここでもバッフル１０６を形成する縁部９６の上面にとりつけられ、体側ライナー８８はこのとき伸縮性サイドパネル２４、２６にとりつけられる。第１３図に示されているように、内側サイド９８、１００は、縁部９６の端部とほぼ一致している。しかし、バッフル１０６を形成する縁部９６は、吸収性媒体９２の中心に向って内側にさらに延び、縦方向及び横方向の両方向に流体逆流を対するより大きな防護を与えることも可能である。
　バッフル１０６との吸収性媒体９２の重なり合い又は被覆範囲の割合は、０％から９９％、好ましくは１０％から５０％そしてさらに好ましくは１０％から２０％である。
　バッフル１０６が吸収性媒体９２の中心に向かってさらに内側に配置されるにつれて、内側サイド９８、１００は同様に、縁部９６と結合させられる前にさらに内側へと延びることができる。吸収性媒体９２とパネル内側サイド９８、１００の重なり合い又は被覆範囲の割合は０％から５０％であってよく、好ましくは３％から２０％、さらに好ましくは６％から１２％である。
　第１２図、第１３図を参照すると、サイドパネル２４、２６は代替的に外側カバー９０の底部表面上にとりつけることができる。
　上述のように、吸収性材料２の排泄物封じ込めセクション４は、弾性の又は伸縮性のサイドパネル６、８により着用者に対して体にぴったりと合いの快適な形で維持される。着用者の脚の内側部分のまわりに伸びている脚部弾性帯４６及びサイドパネル６、８の効果は、着用者の股部に対し排泄物封じ込めセクション４を維持する垂直力のみならず、腰部及び臀部の内側への横方向の力をも提供することにあり、この横方向の力は排泄の前後両方の場合において、着用者の側部に対し排泄物封じ込めセクション４を保持し、包み込むものである。
　第５図を参照すると、シーム３０、３２の構成前の２次元すなわち平面形状で吸収性衣料２についてウエスト弾性帯４２、４４が示されている。吸収性媒体９２の端部１０８、１１０は外側カバー端部１１２、１１４及び体側ライナー端部１１６、１１８より短く終わっている。吸収材端部１１８、１１０は、１／２インチ（１２．７ｍｍ）から２インチ（５０．８ｍｍ）の範囲内の距離だけ外側カバーの端部１１２、１１４から間隔どりされている。一般に、体側ライナ端部１１６、１１８は、外側カバー端部１１２、１１４とほぼ一致し、衣料の全長はこれらの端部の間で測定される。体側ライナ端部１１６、１１８が外側カバー端部１１２、１１４を超えて延び、端部１１２、１１４の上で折り畳まれ、ウエスト開口部１０のまわりに縁又はふさを形成していてもよい。この場合、衣料全長は、端部１１２、１１４の間で測定される。同様に外側カバー端部１１２、１１４は体側ライナー端部１１６、１１８を超えて延びその上に折り畳まれていてもよく、この場合衣料全長は、端部１１６、１１８の間で測定される。
　できれば、ウエスト弾性帯４２、４４は、伸張されていない状態で活性化可能な弾性材料でできている。その後、ウエスト弾性帯４２、４４は、熱、光、湿気などにより活性化され、収縮し弾性となる。これらの活性化可能な弾性材料の一例はＭｉｎｎｅｓｏｔａ　Ｍｉｎｉｎｇ　ａｎｄ　Ｍａｎｅｆａｃｔｕｒｉｎｇ　Ｃｏｍｐａｎｙから入手できる。
　各々のウエスト弾性帯４２、４４は、体側ライナー８８のみ、又は外側カバー９０のみ又はその両方に適切に接着された単一の弾性材料製リボンであってよい。ウエスト弾性帯４２又は４４の単のリボンは弛緩されてとりつけられた状態で２インチ（５０．８ｍｍ）から１２インチ（３０４．８ｍｍ）までの長さと、１／８インチ（３．１７５ｍｍ）から２インチ（５０．８ｍｍ）までの弛緩されとりつけられた幅を有する。一般にウエスト弾性帯４２、４４は伸張した状態で接着され、この伸張した状態で各ウエスト弾性帯４２、４４は２１／４インチ（３１．７５ｍｍ）インチから１インチ（３８１ｍｍ）までの伸張された長さと１／８インチ（３．１７５ｍｍ）から１７／８インチ（４７．６２５ｍｍ）までの伸張された幅を有する。これらのパラメータは、排泄物封じ込めセクション４の幅の５０％から１００％の弛緩とりつけ長を与えるはずである。
　各ウエスト弾性帯４２、４４は、弾性材料の単のリボンである代りに、一般に矩形断面をもつリボン又は一般に円形断面をもつロープの多数のストランドで構成されていてもよい。例えば、各ウエスト弾性帯４２、４４が多数のリボン・ストランドを含んでいる場合、このストランド中の各々のリボンは単一のリボンのものと同じ位の長さそして１／８インチ（３．１７５ｍｍ）から３／４インチ（１９．０５ｍｍ）までの幅を有する。各ウエスト弾性帯４２、４４が多数のローブ弾性帯のストランドを含んでいる場合、各ロープはできれば上述のような長さと０．０４インチ（１．０１６ｍｍ）から０．２５インナ（６．５ｍｍ）までの幅又は直径を有していることが望ましい。
　ウエスト弾性帯４２、４４は、サイドパネル６、８又は伸縮性の層８６を形成できる適当な弾性材料でできていてもよい。ウエスト弾性帯４２、４４を吸収性材料２に接着させるために適した接着剤としては、ホットメルト接着剤、スプレー接着剤、自己接着エラストマ材料などがある。
　ここで第１４図から第１６図を参照、しながらウエスト弾性帯４２、４４についてのさまざまなシーム形態を説明していく。両方のウエスト弾性帯４２、４４は共に同様の方法でとりつけられうるため、ウエスト弾性帯４４にも同様にあてはまることを前提にして、ウエスト弾性帯４２についての説明のみを行なうものとする。第１４図においてウエスト弾性帯４２は体側ライナ８８と外側カバー９０の間にサンドイッチにされている。同様に伸縮性サイド部材１８、２０は、内側サイド１２０、１２２がそれぞれのウエスト弾性サイド１２４、１２６と突合わさっている状態で、体側ライナー８８と外側カバー９０の間にサンドイッチにされている。ウエスト弾性帯４２と伸縮性サイド部材１８、２０の体側ライナー８８及び外側カバー９０に対するとりつげばヒートシール、超音波シーリング、接着剤シーリング又はその他の何らかの適切な手段により行なわれうる。第１４図において、内側サイド１２０、１２２は、ウエスト開口部１０の周囲に連続的な伸縮性又は葎性効果を提供するため、それぞれのウエスト弾性サイド１２４、１２６に対し突合わせさっている。しかしながら、内側サイド１２０、１２２は、０インチ（０ｍｍ）から２インチ（５０．８ｍｍ）までの範囲内でそれぞれのウエスト弾性サイド１２４、１２６から間隔どりされうる。好ましい範囲は、０インチ（０ｍｍ）から１インチ（２．５４ｍｍ）であり、さらに好ましい範囲は０インチ（０ｍｍ）から１／２インチ（１２．７ｍｍ）である。又、サイドパネルの内側サイド１２０、１２２は、端部１１６、１０８と端部１１８、１１０の間の部域内でウエスト弾性帯４２、４４と部分的に又は完全に重なり合うことができる。
　ここで第１５図を参照、するとウエスト弾性帯４２及び体側ライナー８８のサイドはほぼ一致しており、外側カバー９０の縦方向縁部９６は体側ライナー８８の縦方向縁部９４と重なり合うように折り畳まれ、こうしてバッフル１０６を形成している。次に伸縮性サイド部材１８、２０は、バッフル１０６の露出された上面に接着されるため、内側サイド１２０、１２２はバッフル１０６の端部とほぼ一致する。バッフル１０６は、体側ライナー８８と吸収性媒体９２の中心部分に向かってさらに内側に延びることができる。吸収性媒体９２とバッフル１０６の重なり合い又は被覆範囲の割合は０％から４０％の範囲内にあればよい。できればこの被覆範囲は５％から５０％までであることが望ましく、さらに好ましくは８％から１３％までである。
　ここで第１６図を参照、すると、外側カバー９０の縦方向縁部９６はウエスト弾性帯４２と重なり合ってバッフル１０６を形成し、次に伸縮性サイド部材１８、２０がバッフル１０６に接着される。体側ライナー８８はウエスト弾性材４２及び伸縮性サイド部材１８、２０の内側サイド１２０、１２２全体の上に配置される。バッフル１０６は、第１５図に関して上述されているように弾性帯４２全体の上に延びることができる。
　ここで第５図を参照、すると、脚部弾性帯４６は、ウエスト弾性帯４２、４４を形成できる材質と同じ又は類似の材料でできていてよい。脚部弾性帯４６はウエスト弾性帯４２、４４を接着するために上述された方法の１つによって同様に接着されうる。各々の脚部弾性帯４６は、弛緩とりつけ長が約１インチ（２５．４ｍｍ）から約１８インチ（４５７．２ｍｍ）であり、弛緩とりつけ幅が１／８インチ（３．１７５ｍｍ）から３インチ（７６．２ｍｍ）であり、伸びが２５％から３５０％である弾性材料の単一のリボンであることが望ましい。好ましい長さは２インチ（５０．８ｍｍ）から９インチ（２２８．６ｍｍ）であり、伸びは３０％から２６０％である。又さらに好ましい長さは３インチ（７６．２ｍｍ）から４インチ（１０１．６ｍｍ）であり、伸びは１２５％から２００％である。好ましい弛緩幅は１／４インチ（６．３５ｍｍ）から１１／２インチ（３８．１ｍｍ）であり、さらに好ましい幅は１／２インチ（１２．７ｍｍ）から１インチ（２５．４ｍｍ）である。
　衣料全長の割合として、弛緩されとりつけられた弾性帯４６は衣料全長の１０％から１００％の長さの有する。好ましい長さは１０％から５０％、さらに好ましい長さは１５％から２５％である。
　ウエスト弾性帯４２、４４の場合と同じように、脚部弾性帯４６は必ずしも弾性材料の単一のリボンである必要はなく、弾性材料のロープ又はリボンの多数のストランドであってもよい。弾性帯４６がロープ状である場合、好ましい直径は０．０４インチ（１．０１６ｍｍ）から約０．２５インチ（６．３５ｍｍ）である。
　第５Ａ図を参照すると、脚部弾性帯４６は体側ライナー８８の縦方向縁部９４と外側カバー９０の縦方向縁部９６の間に位置づけられている。脚部弾性帯４６はそれぞれの吸収性サイド１０２、１０４に対し突き合わさていてもよいし、或いはこれから離して置かれていてもよい。
　第５Ｂ図は、脚部弾性帯４６の位置づけの変形を示している。この変形実施態様において、外側カバー９０は吸収性縁部１０２、１０４のまわりに包まれ、重なり合ってバッフル１０６を形成している。
　脚部弾性帯４６は次に、同じく縦方向縁部７６であるバッフル１０６の上部に位置づけられ、体側ライナーが次に脚部弾性帯菊の上に配置される。
　同様に、第５Ｃ図は、体側ライナー８８の縦方向縁部９４の上面上に位置づけられている脚部弾性帯４６を示している。なお、このとき外側カバー９０は脚部弾性帯４６と重なり合いバッフル１０６を形成している。
　又、第５ＢＢ図及び第５Ｃ図に示されている両方の変形実施態様において、脚部弾性帯４６は、第５Ｃ図内に点線で示されているように、吸収性媒体９２の下に位置づけることができる。この場合、脚部弾性帯４６は外側カバー９０と吸収性媒体９２と間に位置づけされる。第５Ａ図において、脚部弾性帯４６は同様に吸収性媒体９２の上又は下に位置づけられうる。
　ここで第６図を参照すると、ウエスト弾性帯４２、４４及び非収縮性中間部材２２、２８がないような第１図の実施態様の変形実施態様が示されている。同様に、吸収性媒体９２は外側カバ端部１１２、１１４及び体側ライナー端部１１６、１１８まで延びこれらとほぼ一致している。その他全ての点において、第６図の変形実施態様は第５図と同じである。第６図の変形実施態様から形成された吸収性衣料２は、第１図に示されているものと同じてあるが、ウエスト弾性帯４２、４４及び中間部材２２、２８が無い。この変形実施態様は、中間部材２２、２８の削除のためより小さな胴に対して用いることができ、又、付加的な弾性が必要とされる場合には、伸縮性サイド部材１８、２０、２４、２６を延ばすことにより中間部材２２、２８で置換えられる。
　もう１つの実施態様が第２図、４図、７図及び８図に示されている。ここにおいて、脚部弾性帯４６はサイドパネル６、８により置きかえられ、中間部材２２、２８及びウエスト弾性帯４２、４４は無い。各々のサイドパネル６、８はＸ，Ｙ及びＺで表わされた３つの部域を含むものとして第７図に示されている。サイドパネル６、８のこれらの部域Ｘ，Ｙは弛緩された状態で排泄物封じ込めセクション４にとりつけられており、一方サイドパネル６、８の部域Ｚは排泄物封じ込めセクション４に結合される前に予じめ伸張される。部域Ｚは排泄物封じ込めセクション４の縦方向端部の中間に配置され、弛緩された時点で衣料は第８図に示されている体に合った形状をとろうとする。部域Ｚはまた、弛緩状態において取りつけることもできる。さらには、この部域Ｚは、部域ＸおよびＹよりも狭い幅となるようにすることもできる。
　本発明は又、第２図、４図、７図及び８図の実施態様におけるサイドパネル６、８と合わせての脚部弾性帯４６の使用をも考慮している。脚部弾性帯４６はそれぞれのパネル６、８と突合わさってもよいし、これと重なり合ってもよいし、又これから離隔されていてもよい。
　上述のように、衣料２は、弾性サイドパネル６、８の寸法を変更するだけで、又はサイドパネル６、８を作っている弾性材料のタイプを変えるだけで、広範囲のサイズに合うよう設計されている。一般にサイズ範囲は、
（１）望ましい弾性係数をもつ材料を選ぶ及び／又は
（２）サイドパネル６、８を作っている一定の弾性材料の長さ及び幅の寸法を増大させることにより変えることができる。サイドパネル６、８は一般に、１／２インチ（１２．７ｍｍ）から５インチ（１２７ｍｍ）の幅を有し、１０％から５００％までの伸び又は弾性をもつ材料で作られる。できればサイドパネル６、８は、２インチ（５０．８ｍｍ）から３１／インチ（８８．９ｍｍ）の幅を有していることが望ましく、それらを作っている材料の弾性は５０％から３００％であることが望ましい。より好ましい実施態様においてはサイドパネル６、８の幅１１／４インチ（３１．７５ｍｍ）から２インチ（５０．８ｍｍ）であり、弾性は７５％から２００％である。
　第１７図から第１９図までを参照すると、サイドパネル６、８と吸収性衣料２のサイズ範囲の関係がグラフで表わされている。第１７図において、各々のサイドパネル６、８は４インチ（１０１．６ｍｍ）の幅を有し、サイドパネルの伸び率からウエストにおけるインチ単位のはめ合い範囲に対してプロットされている。図示されているように、サイドパネル６、８を作っている弾性材料の伸び率とインチ単位で測定されたウエストのサイズ範囲の間には一般に線形関係がある。
　第１８図は、１２５％の伸び率をもつ弾性材料についてのウエストにおけるインチ単位のはめ合い範囲とサイドパネルの幅の間の関係を示している。図示されているように、インチ単位のサイドパネル幅の増大とウエストにおけるインチ単位のはめ合い範囲の間には一般に線形関係が存在する。
　第１９図は、幅１インチ（２５．４ｍｍ）の弾性材料ストリップ上のグラム単位の荷重と伸び率を描いているグラフである。グラム単位の荷重は、特定の材料の伸びにおけるテンションを測定し、この特長は各プロットにおいて０の勾配を理論的に有することにより最大となる。第１９図においては、プロットされた曲線は２つの弾性材料を表わしており、ここで曲線Ａは１つの材料の幅方向の伸張を、曲線Ａ´はその縦方向の伸張を表わし、曲線Ｂはもう１つの材料の幅方向の伸張を、曲線Ｂ´はその縦方向の伸張を表わす。できればストレッチボンディングされた積層材の態様における縦方向の伸張は、水平方向に内側に又は着用したときの腰部及び中央セクションに向かって適用された力のベクトルである。この伸張−ひずみ関係は、衣料の使用及び性能にとって重要である。このサイドパネル材料は、さまざまなサイズに合うように伸張しなくてはならない。このテンションは、衣料が使用しにくい又は使用中きつすぎるほどに高いものであってはならない。又、このテンションは、この製品を使用中所定の位置に保持できないほど低くすぎてもならない。できれば、サイドパネル６、８を作っている材料のテンション範囲すなわち幅１インチ（２５．４ｍｍ）のストリップの荷重（グラム数）は、５０グラムから１０００グラムであることが望ましい。さらに好ましい実施態様においては、サイドパネル材料のテンション範囲は、幅１インチ（２５．４ｍｍ）のストリップにつき２００グラムから５００グラムである。第２に、曲線Ａ´及びＢ´は両者共、０から１２５％の伸び又は弾性の比較的かなり漸進的な勾配を表わしている。この勾配は、さまざまなサイズにおいて一定のはめ合いテションを維持するために重要である。０という理論的勾配では、製品のテンションは、弛緩サイズにおいて完全伸張サイズの場合と同じである。
　ついで第２１図を参照すると、さらにウエスト弾性帯１３４を含む吸収性衣料２のもう１つの変形実施態様が示されている。吸収性衣料２のこの変形実施態様がもつ独特な特長は、弾性サイドパネル６、８の幾何形状である。限定的にいうと、脚部開口部１２、１４の後部１３２が脚部開口部１２、１４の後部１３３よりも高くカットされていることがわかる。脚部開口部１２、１４のこの特定の幾何形状の目的は、衣料のはめ合いをさらに改善することにある。後部に付加された材料が臀部を被覆し、方前部では、脚の曲率に沿う上でカットはより高く、そのため脚の動きはより自由になっている。
　弾性サイドパネル６、８の上部は、遠隔エンドセグメント１３６、１３８として識別され、これらは、サイドバネル６、８の中間部分からウエスト開口部１０に向かって内側及び上方へ勾配をもつようにカットされている。この目的は、特にユーザが腰及びウエストにおいて不釣合いである場合に、衣料のはめ合いをさらに改善することにある。このデザイン又は形状は又、この衣料を所定の位置までひき上げる上で助けとなる。勾配する各々のエンドセグメント１３６、１３８の長さは、衣料全長の３％から４０％、好ましくは全長の５％から２５％、さらに好ましくは１０％から１５％である。
　エンドセグメント１３６、１３８の第２１図内の垂直線で測点された角度勾配は、５゜から５５゜まで、好ましくは１０゜から４０゜まで、さらに好ましくは１５゜から３０゜までである。
　ここで第２０図を参照しながら衣料２の１実施態様を作るための１プロセスに関して以下に説明する。補給ロール１４０は、補給ドラム１４２に連続的に外側カバー９０を提供し、このドラムは望みに応じてウエスト弾性帯４２、４０をその上にとりつける。ウエスト弾性帯４２、４４の適用後、外側カバー９０は、コンベアアセンブリ１４４まで続行し、このアセンブリがウエスト弾性帯４２、４４の間に吸収性媒体を位置づける。その後、補給ロール１４６は、ウエスト弾性帯４２、４４上の体側ライナー８８、吸収性媒体９２そして外側カバー９０を連続補給する。次に折り畳み棒１４８が外側カバー９０を折畳み（このカバーは吸収性媒体９２及び体側ライナー８８の幅より大きい幅をもつ）バッフル１０６を形成する。バッフル１０６が形成された後、補給ロール１５０、１５２は、弾性サイドパネル６、８を連続的に補給し、ボンディングステーション１５４が次に、超音波、熱又は接着剤によるボンディングにより、弾性サイドパネル６、８、体側ライナー８８そして外側カバー９０をボンディングする。同様に、補給ロール１５６、１５８は、中間部材２２、２８を連続的に補給し、次にボンディングステーション１６０が、超音波、熱又は接着剤によるボンディングにより、弾性サイドパネル６、８及び中間部材２２、２８をボンディングする。加圧流体噴射又はロータリダイカッターであってよい脚部カットアウトステーション１６２が次にサイドパネル６、８を切断して脚部開口部１２、１４を形成する。複合材がプロセスを続行していくにつれて、カッティングステーション１６４は複合材を切断し、複合材は次に、タッカー棒１６６によりひだどり又は折畳みされる。このタッカー棒は、切断された複合材の中間部分と接触しこれをコンベアセンブリ１６８の個々のコンベヤの間で移動させるのである。コンベヤアセンブリ１６８と結びつけて位置づけされているのは、超音波、熱又は接着剤により弾性サイドパネル６、８をボンディングして吸収性衣料２のシーム３０、３２を形成するシームボンディンクステーション１７０である。次にコンベヤアセンブリ１６８は、吸収性衣料２を搬送コンベヤアセンブリ１７２に送り、このコンベヤアセンブリは、吸収性衣料２を次の処理ステーションヘと送る。
　第２０図に示されたプロセスは、第２図に示されたもののようなその他の実施態様及び１１−１３図に示されているようなその他の構造を作成するよう容易に適量されうる。
　本発明は、好ましい実施態様を有するものとして説明されてきたが、これにはさらに変形を加えることができるということもわかるであろう。従って本出願は、本発明が関係する技術分野における既知の又は習慣的実践方法内に入りかつ上述の特許請求の範囲内に入るような本開示からの逸脱を含み一般原則に従った本発明のあらゆる変形実施態様、用途又は適合をも網羅するものである。
【図面の簡単な説明】
第１図は、点線で示されているような着用者に着用されている状態の衣料又はパンツの一実施態様の斜視図である。
第２図は、点線で示されている着用者の身についたもう１つの実施態様の斜視図である。
第３図は、第１図の実施態様の正面図である。
第４図は、第２図の実施態様の正面図である。
第５図は、シームが結合される前の脚部カットアウトを伴う平面状態の第１図の実施態様の平面図である。
第５Ａ図は、ライン５Ａ−５Ａに沿って切りとった第５図の断面図である。
第５Ｂ図は、第５Ａ図の変形実施態様である。
第５Ｃ図は、第５Ｂ図の変形実施態様である。
第６図は、第５図と類似しているが非弾性中間パネルとウエスト弾性帯がとり除かれている図である。
第７図は、シームが結合される前の平面状態での第２図の実施態様の平面図である。
第８図は、部分的に折り畳まれた形での第７図の実施態様の側面図である。
第９図は、伸張された状態でのストレッチボンディングされた積層材の側面断面図である。
第１０図は、弛緩された状態での、第９図のストレッチボンディングされた積層材の側面断面図である。
第１１図は、ライン１１−１１に沿って切りとられた矢印方向にみた第５図の断面図である。
第１２図は、第１１図の１変形実施態様を示している。
第１３図は、第１１図の１変形実施態様を示している。
第１４図は、ライン１４−４で切りとられた矢印方向にみた第５図の断面図である。
第１５図は、第１４図の１変形実施態様を示している。
第１６図は、第１４図の１変形実施態様を示している。
第１７図は、サイドパネルの伸び率とインチ単位のウエストのはめ合い範囲の関係を表わすグラフである。
第１８図は、インチ単位のサイドパネル幅とインチ単位のウエストのはめ合い範囲の関係を表わすグラフである。
第１９図は、幅１インチのサイド弾性帯ストリップについてのグラム単位の荷重と伸び率の関係を表わすグラフである。
第２０図は、衣料又はパンツの１実施態様を製造するための１つの装置の略図である。
第２１図は、衣料又はパンツのもう１つの実施態様を示している。
主な構成要素の番号
２……衣料、４……排泄物封じ込めセクション、
６，８……サイドパネル、１０……ウエスト開口部、
１２，１４……脚部開口部、１６……胴部分、
１８，２０，２４，２６……伸縮性サイド部材、
２２，２８……中間部材、
３０，３２，３４，３６，３８，４０……シーム、
４２……前方ウエスト弾性部材、
４４……後方ウエスト弾性部材、４６……脚部弾性帯、
４８，５４，６０，６６……内側縁部、
５０，５６，６２，６８……サイド縁部、
５２，５８，６４，７０……エンド縁部、
７４……脚部カットアウト、７６，７８……中間部分、
８０……ストレッチボンディング積層材、
８２……外側層、８４……体側層、８６……弾性層、
８８……体側ライナー、９０…外側カバー、
９２……吸収性媒体、９４，９６……縦方向縁部、
９８，１００……内側サイド、
１０２，１０４……吸収性サイド、
１０６……バッフル、
１０８，１１０……吸収性媒体端部、
１１２，１１４……外側カバー端部、
１１６，１１８……体側ライナー端部、
１２０，１２２……内側サイド、
１２４，１２６……ウエスト弾性サイド、
１３４……ウエスト弾性帯、
１３６，１３８……遠隔エンドセグメント、
１４０，１４８，１５６，１５８……補給ロール、
１４２……補給ドラム、
１６０……ボンディングステーション、
１６２……カットアウトステーション、
１６４……カッティングステーション、
１６６……カッター棒、
１６８……コンベヤアセンブリ、
１７０……シームボンディングステーション、
１７２……搬送コンベヤアセンブリ。